(57)【要約】文書の誤配置されているページを検出するための機能が提供される。方法は、ページが誤配置されていることを検出するステップと、ページが誤配置されていることを示すアラームの提示をトリガーする際に使用するために適応した制御信号を生成するステップとを含む。方法は、ページが誤配置されていることを検出するステップと、誤配置されているページに対して１つまたは複数の制御動作を開始するステップとを含む。これらおよび他の方法は、ファックス装置、写真複写機、スキャナー、写真コピー・デバイス、ユーザ・デバイス、ネットワーク・デバイスなど、およびそのような機能の組み合わせを持つデバイスなど、任意の適切なコピー・デバイスで実行することができる。
2013523011.tif 000002
【特許請求の範囲】
【請求項１】
ページが誤配置されているかどうかを決定するために文書のページの電子表現を処理するステップと、
前記ページが誤配置されているという決定が下された場合、前記ページが誤配置されていることを示すアラームの提示をトリガーする際に使用するために適応した制御信号を生成するステップと
を含む方法。
【請求項２】
前記方法は、コピー・デバイスによって実行され、前記ページの電子表現は、前記コピー・デバイスによって生成される請求項１に記載の方法。
【請求項３】
前記方法は、第１のコピー・デバイスによって実行され、前記ページの電子表現は、通信路を介して第２のコピー・デバイスから前記第１のコピー・デバイスで受信される請求項１に記載の方法。
【請求項４】
前記ページの電子表現は、前記ページの複数のピクセルのそれぞれに対してコントラスト情報を含む請求項１に記載の方法。
【請求項５】
前記ページの電子表現を処理するステップは、
前記ページが誤配置されているかどうかを決定するために前記ページのピクセルの少なくとも一部の前記コントラスト情報を処理するステップ
を含む請求項４に記載の方法。
【請求項６】
前記ページが誤配置されているかどうかを決定するために前記ページの電子表現を処理するステップは、
前記ページのピクセルに関連する絶対的なコントラスト値が値またはしきい値を満たすかどうかを決定するステップと、
前記ページのピクセル間のコントラストの変動がしきい値を満たすかどうかを決定するステップと
前記ページが誤配置されていることを示すコントラスト・パターンを特定するステップと
の少なくとも１つを含む請求項４に記載の方法。
【請求項７】
前記制御信号に応じて前記アラームを提示するステップをさらに含み、
前記制御信号は、コピー・デバイスで生成され、前記アラームは前記コピー・デバイスを使用して提示されることと、
前記制御信号は、第１のコピー・デバイスで生成され、第２のコピー・デバイスで前記アラームを提示するために、前記第２のコピー・デバイスに前記第１のコピー・デバイスから前記制御信号を伝搬するステップをさらに含むことと、
前記制御信号は、第１のコピー・デバイスで生成され、前記制御信号に応じて、第２のコピー・デバイスで前記アラームを提示するために前記第２のコピー・デバイスに前記第１のコピー・デバイスからアラーム・メッセージを伝搬するステップをさらに含むことと
の少なくとも１つを含む請求項１に記載の方法。
【請求項８】
前記ページが誤配置されているという決定が下された場合、少なくとも１つの制御動作を実行するステップをさらに含み、前記少なくとも１つの制御動作は、
前記文書がネットワークを介して伝送することを意図されている場合、ユーザに、前記文書の伝送を継続するか、または前記文書の少なくとも一部の伝送を中断するオプションを提供するステップと、
前記文書の少なくとも１ページが自動文書送り込み装置を介してまだ入力されている間に、前記文書のページが誤配置されているという決定が下された場合、自動的に前記自動文書送り込み装置を停止するステップと、
前記誤配置されているページの配置を自動的に修正するステップと
の少なくとも１つを含む請求項１に記載の方法。
【請求項９】
文書のページの電子表現を格納するためのメモリと、
前記ページが誤配置されているかどうかを決定するために前記ページの電子表現を処理し、
前記ページが誤配置されているという決定が下された場合、前記ページが誤配置されていることを示すアラームの提示をトリガーする際に使用するために適応した制御信号を生成するための
プロセッサと
を含む装置。
【請求項１０】
プロセッサによって実行されたときに、前記プロセッサに方法を実行させる指示を格納するコンピュータ可読媒体であって、前記方法は、
ページが誤配置されているかどうかを決定するために文書のページの電子表現を処理するステップと、
前記ページが誤配置されているという決定が下された場合、前記ページが誤配置されていることを示すアラームの提示をトリガーする際に使用するために適応した制御信号を生成するステップと
を含むコンピュータ可読媒体。
【発明の詳細な説明】
【技術分野】
【０００１】
本発明は、一般的にページの配置に関し、より具体的には、限定はしないが、誤配置されているページの検出に関する。
【背景技術】
【０００２】
たとえば、写真複写機、スキャナー、ファックス装置など、ほとんどのコピー・デバイスには、コピー・デバイスの自動文書送り込み装置に文書を挿入するときに、文書のどちらの面を上向きにするべきかを示す小さな画像または記号が含まれているが、多くのユーザは、画像に混乱したり、または画像を完全に無視したりする。その結果、一部のユーザは、空白ページを含む文書を不注意にコピーし、かつ／または伝送する可能性があり（たとえば、１ページ、１または複数のページを裏表逆にした文書、一部またはすべてのページが空白の複数ページの文書など）、意図した文書の宛先から電話を受けるまで、そのことに気づきすらしない場合がある。
【発明の概要】
【課題を解決するための手段】
【０００３】
従来技術の様々な欠点は、文書の誤配置されているページを検出するための実施形態によって取り扱われている。
【０００４】
一実施形態では、方法は、ページが誤配置されていることを検出するステップと、ページが誤配置されていることを示すアラームの提示をトリガーする際に使用するのに適応した制御信号を生成するステップを含む。
【０００５】
一実施形態では、方法は、文書の少なくとも１ページが誤配置されていることを検出するのに応じて、誤配置されているページに対して少なくとも１つの制御動作を開始するステップを含む。少なくとも１つの制御動作は、誤配置されているページの配置を修正すること、ページが誤配置されていることを示すアラームの提示をトリガーすることなど、およびそれらの様々な組み合わせの１つまたは複数を含むことができる。
【０００６】
本明細書の教示は、添付の図面に関して以下の詳細な説明を考慮することによって、より容易に理解することができる。
【図面の簡単な説明】
【０００７】
【図１】文書を伝えるための代表的なシステムの高レベルブロック図である。
【図２】文書の誤配置されているページを検出し、文書の誤配置されているページの検出に対応するための方法の一実施形態を示す図である。
【図３】文書の誤配置されているページを検出し、文書の誤配置されているページの検出に対応するための方法の一実施形態を示す図である。
【図４】本明細書に記述した機能を実行する際に使用するのに適したコンピュータの高レベルブロック図である。
【発明を実施するための形態】
【０００８】
理解を助けるために、可能な場合には、複数の図で共通する同一の要素を示すために、同一の参照番号を使用している。
【０００９】
誤配置されているページ検出および対応機能について、本明細書に描写および記述する。誤配置されているページ検出および対応機能は、文書の誤配置されているページの検出を可能にし、さらに、文書の誤配置されているページの検出に対する対応を可能にする。
【００１０】
誤配置されているページの検出は、誤配置されているページを検出するために１つまたは複数の技術を使用して実行することができ、これはページが誤配置されている方法に依存することができる。
【００１１】
一実施形態では、たとえば、ページは、ページが空白または実質的に空白として検出された場合に、誤配置されているとして検出される。空白または実質的に空白としてのページの検出は、複数の種類の誤配置を示す場合がある。一実施形態では、たとえば、空白または実質的に空白としてのページの検出は、ページが裏返しであることを示す場合がある（たとえば、ファックス装置でページを上向きに配置するべきときに、下向きに配置されている、コピー機でページを下向きに配置するべきときに、上向きに配置されている、など、実行する機能に関して、ページの２面が不正確に配置されているなど）。
【００１２】
空白または実質的に空白のページは、一般的には、有益な情報や望まれる情報が含まれていないページであり、１つまたは複数の他の印が含まれている場合や含まれていない場合がある。たとえば、空白ページの場合には、ページは、一般的には、他の印を含んでいない。同様に、たとえば、実質的に空白のページの場合には、たとえば、用紙の欠陥、指紋、インク汚れおよびしみ、誤配置されているページ検出および対応機能が実装されるコピー・デバイスの１つまたは複数のコンポーネントの汚れ（たとえば、ほこり、ごみ、またはスキャン中にページに印を残す可能性がある他の何か）など、ならびにそれらの様々な組み合わせなどにより、ページは他の印を含んでいることがある。実質的に空白のページの検出、したがって、本明細書で使用する「実質的に空白のページ」という用語の理解は、実質的に空白のページではなく、ページが有効な（つまり、空白または実質的に空白として検出されない）ページであると決定される前に、ページで検出される必要がある印の量に依存する場合があることを理解されたい。本明細書に記述するように、少なくとも一部の実施形態では、ページが有効なページであると決定される前に検出する必要がある他の印の量は、ユーザが構成可能なパラメータでもよい（つまり、少なくとも一部の実施形態では、ユーザは、空白および実質的に空白のページが検出される感度を動的に制御する機能を提供される）。
【００１３】
空白または実質的に空白のページは、任意の適切な方法で検出することができる。一実施形態では、たとえば、ページが空白または実質的に空白かどうかを決定するためのページの処理は、ページの電子表現に関連するコントラスト情報を使用して実行される。そのような一実施形態では、空白または実質的に空白としてのページの検出は、１つまたは複数の絶対的なコントラスト、コントラストの変動など、およびそれらの様々な組み合わせを使用して実行することができる。空白または実質的に空白としてのページの検出は、他の適切なコントラスト情報を使用して実行することができる。空白または実質的に空白としてのページの検出は、他の適切な方法で実行することができる。
【００１４】
ページが空白または実質的に空白であることを検出することで、ページが裏返しであることを検出するときに、ページは誤配置されているページとして検出される実施形態に関して主に記述するが、ページは、ページが裏返しであることを検出する他の適切な手段を使用して、誤配置されているものとして検出できることに注意されたい。
【００１５】
一実施形態では、たとえば、ページは、ページのコンテンツが使用不可能および／または望ましくない向きに配置されていると検出した際に、誤配置されているページとして検出される。ページのコンテンツが使用不可能および／または望ましくない向きに配置されていることの検出は、１つまたは複数の種類の誤配置を示している場合がある。
【００１６】
一実施形態では、たとえば、ページのコンテンツが使用不可能および／または望ましくない向きに配置されていることの検出は、他のページの向きに関してページの角度が面内で幾分回転していることの検出を含む。たとえば、多数のページを含む文書がコピーされていて、１ページが上下逆さまである場合（つまり、他のページに関して１８０度だけ回転している）、他のページの向きに関してページの角度が面内で幾分回転していることを検出すると、ページのコンテンツが使用不可能および／または望ましくない向きに配置されていることを検出したことになる。この実施形態は、どちらかの方向に９０度、１８０度（つまり、ページは上下逆さま）など、およびそれらの様々な組み合わせで回転されたページを含む。
【００１７】
一実施形態では、たとえば、ページのコンテンツが使用不可能および／または望ましくない向きに配置されていることの検出は、ページのコンテンツの必要または好ましい向きに関して、ページのコンテンツの角度が幾分回転していることの検出を含む。たとえば、１１×８．５インチの用紙に印刷されたテキストが、各列のテキストが用紙の短い側に平行になるように（そして、用紙の長い側に垂直になるように）配置されることが期待されている場合、期待される向きに関してテキストの行の角度が幾分回転していることが検出されると（たとえば、５％を超える、１０％を超える、または他の適切なしきい値など）、ページのコンテンツが使用不可能および／または望ましくない向きに配置されていることを検出したことになる。
【００１８】
ページのコンテンツの他の多くの種類の使用不可能および／または望ましくない向きは、誤配置されているページを特定する目的のために検出できることを理解されたい。
【００１９】
ページのコンテンツが使用不可能および／または望ましくない向きに配置されているかどうかに関する決定は、任意の適切な方法で実行することができる。一実施形態では、たとえば、ページのコンテンツが使用不可能または望ましくない向きに配置されているかどうかに関する決定は、パターン認識技術を使用して実行することができる（たとえば、ページのコンテンツが使用不可能および／または望ましくない向きに配置されていることを示すコントラスト・パターン（複数可）を検出するためにページに関連するコントラスト情報を使用する）。一実施形態では、たとえば、ページのコンテンツが使用不可能または望ましくない向きに配置されているかどうかに関する決定は、光学式文字認識（ＯＣＲ）技術を使用して実行することができる。そのような技術の組み合わせは、ページのコンテンツが使用不可能および／または望ましくない向きに配置されているかどうかを決定するために使用することができる。ページのコンテンツが使用不可能および／または望ましくない向きに配置されているかどうかに関する決定は、他の適切な方法で実行することができる。
【００２０】
ページは、ページのコンテンツが使用不可能および／または望ましくない向きに配置されていることを検出した際に、誤配置されているページとして検出される実施形態に関して主に記述するが、ページは、ページのコンテンツが使用不可能および／または望ましくない向きに配置されていることを検出する他の適切な手段を使用して、誤配置されているものとして検出できることに注意されたい。
【００２１】
誤配置されているページの検出に対する対応は、誤配置されているページの検出を示すアラームの提示をトリガーする際に使用するように適した制御信号を生成する、誤配置されているページの配置の自動修正を開始するなど、およびそれらの様々な組み合わせの１つまたは複数など、１つまたは複数の対応を含むことができる。
【００２２】
誤配置されているページ検出および対応機能は、コピーする（たとえば、文書の１つまたは複数のハード・コピーの印刷、文書の電子記憶装置、文書の電子伝送など、およびそれらの様々な組み合わせの１つまたは複数のためにコピーする）文書の誤配置されているページ、前もってコピーされた文書（たとえば、ファックス装置、ユーザ・デバイス、ネットワーク・デバイス、または他の類似するデバイスで受信した文書のコピー）を検出するためなど、および誤配置されているページの検出が役に立つ可能性がある他の用途に使用することができる。
【００２３】
文書は、一般的に、１または複数ページの情報を含む。文書は、ハード・コピーおよび／またはソフト・コピーとして表すことができる。文書のハード・コピーは、１または複数枚の用紙を使用して表すことができる。ハード・コピーのシートは、誤配置されているページ検出および対応機能の実施形態で使用するのに適したシートを含むことができる（たとえば、誤配置されているページ検出および対応機能をソース・コピー・デバイスまたは宛先コピー・デバイスで提供することができるため、文書のシート（複数可）は、文書の電子表現が生成されるシートまたは文書の電子表現を印刷できるシートに対応することができる）。文書のソフト・コピーは、ワード・プロセッシング・アプリケーション、画像レンダリング・アプリケーション、および文書を表示する際の使用に適応した同様のアプリケーションを使用して表現できる、任意の適切な形式で提供することができる。文書は、文書の電子表現を使用して維持することができ、文書の電子表現は、文書を提示する際の使用に適応する情報を含む。したがって、「文書」という用語は、テキスト・ベースの文書、写真など、およびそれらの様々な組み合わせなど、そこにコンテンツを含むページまたはページの集合を包含することを意図するものである。そのような定義は、誤配置されているページ検出および対応機能の少なくとも一部の実施形態について説明する目的で提供されるため、誤配置されているページ検出および対応機能の少なくとも一部の実施形態に従って適切な場合、他の適切な定義を適用できることを理解されたい。
【００２４】
誤配置されているページ検出および対応機能のこれらおよび様々な他の実施形態は、図１〜図４を参照することによって、より理解することができる。
【００２５】
図１は、文書を伝えるための代表的なシステムの高レベルブロック図である。システム１００は、２つのコピー・デバイス、ソース・コピー・デバイス（ＳＣＤ）１１０Ｓおよび宛先コピー・デバイス（ＤＣＤ）１１０Ｄを含み（本明細書ではまとめてコピー・デバイス（ＣＤ）１１０と呼ぶことがある）、これらは通信ネットワーク（ＣＮ）１２０を介して通信することができる。
【００２６】
ＳＣＤ１１０Ｓは、文書のコピーの生成および文書のコピーの１つまたは複数の印刷を実行すること、文書のコピーを格納すること、ＣＮ１２０を介してＤＣＤ１１０Ｄに文書のコピーを伝送することなど、およびそれらの様々な組み合わせに適した任意のデバイスである。一実施形態では、ＳＣＤ１１０Ｓは、誤配置されているページを検出し、誤配置されているページ検出および対応機能の他の機能のサポートするように構成される。
【００２７】
図１に示すように、代表的な一実施形態では、ＳＣＤ１１０Ｓは、プロセッサ１１１Ｓ、スキャナー１１２Ｓ、メモリ１１３Ｓ、プリンタ１１４Ｓ、メッセージング・モジュール１１５Ｓ、通信用インターフェイス１１６Ｓ、ユーザ・インターフェイス１１７Ｓ、およびアラート・モジュール１１８Ｓを含む。図１にさらに示すように、プロセッサ１１１Ｓは、誤配置されているページ検出および対応機能をサポートするように、ＳＣＤ１１０Ｓの他のコンポーネントのそれぞれと通信するように構成されている。ＳＣＤ１１０Ｓの各コンポーネント間の通信がプロセッサ１１１Ｓを介して行われる実施形態に関して主に描写および記述したが、ＳＣＤ１１０Ｓの様々なコンポーネント間の通信は、任意の適切な方法で実装できることを理解されたい。
【００２８】
ＳＣＤ１１０Ｓは、任意の適切なコピー・デバイスでもよい。たとえば、ＳＣＤ１１０Ｓは、ファックス装置、写真複写機、スキャナー、そのような複数の機能をサポートするマルチファンクション機（たとえば、フォトコピー、スキャン、ファックス、および他の類似する機能の２つ以上をサポートするデバイス）、写真コピー・デバイス（たとえば、写真が挿入されると、写真のコピーが印刷、格納、および／または伝送されるデバイス）などでもよい。そのようなデバイスの一般的な設計および動作は、当業者なら理解されるだろう。ＳＣＤ１１０Ｓのデバイス・タイプに基づいて、特定の実施形態では、ＳＣＤ１１０Ｓの１つまたは複数のコンポーネントは、任意であると考えられることを理解されたい。たとえば、プリンタ１１４Ｓは、少なくとも（１）（たとえば、スキャナーまたは印刷機能を持たない他の類似するデバイスにおいて）ＳＣＤ１１０Ｓとして使用できる一部のタイプのデバイスにないことがある、および（２）ＳＣＤ１１０Ｓとして使用されるデバイスにそれがある場合、少なくとも一部の実施形態では、実行されるコピーに基づく機能でプリンタ１１４Ｓを使用する必要がない（たとえば、ＳＣＤ１１０Ｓに記憶するために文書の電子コピーを生成する場合、ＤＣＤ１１０Ｄに文書のコピーを伝送する場合（たとえば、ファックス送信のステータスを示すステータス・シートを印刷するためにプリンタ１１４Ｓを使用できることが理解されるが、プリンタ１１４Ｓは、他のファックス装置に文書をファックスするためには使用されない。プリンタ１１４Ｓは、写真複写機からコンピュータに文書を電子メールで送信するためには使用されないなど）など）という理由から任意でもよい。たとえば、メッセージング・モジュール１１５Ｓは、少なくとも（１）（たとえば、電子メールおよび／または他のメッセージング機能を持たないファックス装置または他の類似するデバイスにおいて）ＳＣＤ１１０Ｓとして使用できる一部のタイプのデバイスにないことがある、および（２）ＳＣＤ１１０Ｓとして使用されるデバイスにそれがある場合、少なくとも一部の実施形態では、実行されるコピーに基づく機能でメッセージング・モジュール１１５Ｓを使用する必要がない（たとえば、ＳＣＤ１１０Ｓに記憶するために文書の電子コピーを生成する場合、メッセージング以外の伝送手段を使用して、ＤＣＤ１１０Ｄに文書のコピーを伝送する場合など）という理由から任意でもよい。ＳＣＤ１１０Ｓのこれらおよび他のコンポーネントの存在／不在、および／または使用／不使用は、ＳＣＤ１１０Ｓの一部のコンポーネントが、特定の状況で任意であると考えられるように、当業者なら理解されるだろう。
【００２９】
ＤＣＤ１１０Ｄは、ＣＮ１２０を介してＳＣＤ１１０Ｓから文書のコピーを受信し、文書のコピーの１つまたは複数の格納を実行して、（たとえば、文書のコピーを印刷したり、ディスプレイに文書のコピーを表示したりするなどの方法で）文書のコピーを提示することなどに適した任意のデバイスである。一実施形態では、ＤＣＤ１１０Ｄは、誤配置されているページを検出し、誤配置されているページ検出および対応機能の他の機能をサポートするように構成される。
【００３０】
図１に示すように、代表的な一実施形態では、ＤＣＤ１１０Ｄは、プロセッサ１１１Ｄ、スキャナー１１２Ｄ、メモリ１１３Ｄ、プリンタ１１４Ｄ、メッセージング・モジュール１１５Ｄ、通信用インターフェイス１１６Ｄ、ユーザ・インターフェイス１１７Ｄ、およびアラート・モジュール１１８Ｄを含む。図１にさらに示すように、プロセッサ１１１Ｄは、誤配置されているページ検出および対応機能をサポートするように、ＤＣＤ１１０Ｄの他のコンポーネントのそれぞれと通信するように構成されている。ＤＣＤ１１０Ｄの各コンポーネント間の通信がプロセッサ１１１Ｄを介して行われる実施形態に関して主に描写および記述したが、ＤＣＤ１１０Ｄの様々なコンポーネント間の通信は、任意の適切な方法で実装できることを理解されたい。
【００３１】
ＤＣＤ１１０Ｄは、少なくとも一部の実施形態では、ＳＣＤ１１０Ｓのデバイス・タイプに依存できる任意の適切なコピー・デバイスでもよい。たとえば、ＳＣＤ１１０Ｓがファックス装置である場合、ＤＣＤ１１０Ｄもまた、ファックス装置またはファックス装置から文書のコピーを受信するのに適した他のデバイスでもよい。たとえば、ＳＣＤ１１０Ｓが写真複写機、スキャナー、または他の類似するコピー・デバイスである場合、ＤＣＤ１１０Ｄは、文書のコピーを受信し処理するのに適した任意のデバイスでもよい（たとえば、文書のコピーの格納、文書のコピーの提示（たとえば、文書の印刷および／または表示など）など）。そのため、少なくとも一部の実施形態では、ＤＣＤ１１０Ｄは、ネットワーク・デバイスなど（たとえば、ネットワーク・サーバー、ネットワーク・ストレージ・デバイスなど）、エンド・ユーザ・デバイス（たとえば、コンピュータ、携帯電話、ＰＤＡなど）などのコピー機能をサポートしない、または少なくとも典型的にはサポートしないデバイスを包含することができる。そのような実施形態では、文書のコピーは、文書のコピーを伝達する任意の適切な手段（たとえば、電子メール、ＭＭＳ、または他の適切なメッセージング形式の添付ファイルとして、文書のコピーをパケット化した形としてなど）を介して、そのようなデバイス（たとえば、ネットワーク・デバイス、ユーザ・デバイスなど）に伝搬できることを理解されたい。したがって、本明細書では、コピー機能をサポートするデバイスとして主に描写および記述したが、少なくとも一部の実施形態では、必ずしもファックス装置、写真複写機、スキャナー、写真コピー・デバイスなどと同じ方法でコピーできるからではなく、文書のコピーの受信に関与するという理由から、ＤＣＤ１１０Ｄは、単にコピー・デバイスと呼ばれることがあることを理解されたい。そのようなデバイスの一般的な設計および動作は、当業者なら理解されるだろう。
【００３２】
ＳＣＤ１１０Ｓに関して本明細書に記述するように、ＤＣＤ１１０Ｄのデバイス・タイプに基づいて、特定の実施形態では、ＤＣＤ１１０Ｄのコンポーネントの１つまたは複数は、任意であると考えられることを理解されたい。たとえば、スキャナー１１２Ｄおよび／またはプリンタ１１４Ｄは、少なくとも（１）これらの１つまたは両方は、ＤＣＤ１１０Ｄとして使用できる一部のタイプのデバイスにないことがある、および（２）これらの１つまたは両方がＤＣＤ１１０Ｄとして使用されるデバイスにある場合、少なくとも一部の実施形態では、これらの機能の１つまたは両方を使用する必要がないという理由から任意でもよい。たとえば、アイテム（１）に関して、ＤＣＤ１１０Ｄが、ＰＤＡ、携帯電話、または他の類似するユーザ・デバイスなどのユーザ・デバイスである場合、ユーザ・デバイスは、スキャナー１１２Ｄまたはプリンタ１１４Ｄを含む可能性は低い（ただし、そのようなユーザ・デバイスは、周辺装置（複数可）としてスキャナーおよび／またはプリンタを使用するためにスキャナーおよび／またはプリンタに接続できることを理解されたい）。たとえば、アイテム（２）に関して、ＤＣＤ１１０Ｄがスキャナー１１２Ｄを含むファックス装置である場合、ファックスをＳＣＤ１１０Ｓから受信するときに、スキャナー１１２Ｄは使用されない。同様に、たとえば、アイテム（２）に関して、ＳＣＤ１１０Ｓが写真複写機で、ＤＣＤ１１０Ｄが、周辺装置として組み合わせられたプリンタ／スキャナーを持つコンピュータである場合、ユーザは、文書を印刷するのではなく、単にコンピュータの表示画面上で受信した書類を見ることを選択することができる。したがって、ＤＣＤ１１０Ｄのこれらおよび他のコンポーネントの存在／不在、および／または使用／不使用は、ＤＣＤ１１０Ｄの一部のコンポーネントが、少なくとも一部の実施形態では任意であると考えられるように、当業者なら理解されるだろう。
【００３３】
本明細書では、ＳＣＤ１１０Ｓが文書のコピーのソースとして動作しているときに、ＳＣＤ１１０Ｓによって必要とされるＳＣＤ１１０Ｓの機能に関して、およびＤＣＤ１１０Ｄが文書のコピーの宛先として動作しているときに、ＤＣＤ１１０Ｄによって必要とされるＤＣＤ１１０Ｄの機能に関して主に描写および記述したが、ＳＣＤ１１０ＳおよびＤＣＤ１１０Ｄとして使用するのに適しているとして本明細書に示したコピーのタイプの多くは、文書のコピーのソースおよび宛先の両方として動作するように構成され、したがって、両方のタイプの機能を含むことを理解されたい。
【００３４】
ＣＮ１２０は、ソース・コピー・デバイスと宛先コピー・デバイスとの間の通信をサポートするのに適した任意の通信ネットワークでもよい。たとえば、ＳＣＤ１１０ＳおよびＤＣＤ１１０Ｄがそれぞれファックス装置である実施形態では、ＣＮ１２０は、ファックス送信をサポートするのに適した任意の通信ネットワークでもよい（たとえば、公衆交換電話網（ＰＳＴＮ）または他の適切なネットワーク）。たとえば、ＳＣＤ１１０ＳおよびＤＣＤ１１０Ｄがそれぞれ写真複写機およびユーザ・コンピュータである実施形態では、ＣＮ１２０は、文書のコピーの電子メール送信をサポートするのに適した任意の通信ネットワークでもよい（たとえば、ローカル・エリア・ネットワーク（ＬＡＮ）、ワイド・エリア・ネットワーク（ＷＡＮ）、インターネットなど、およびそれらの様々な組み合わせ）。ＣＤ１１０間の伝送をサポートするために使用できる通信ネットワークのタイプは、当業者なら理解されるだろう。少なくとも１つの実施形態では、ＣＮ１２０は任意であることを理解されたい（たとえば、ネットワークを介して他のデバイスに文書のコピーを伝送することなく、ユーザがローカルで文書をコピーしている場合など（たとえば、文書のハード・コピーをローカルで印刷するため、文書の電子表現をローカルに格納するためなど））。
【００３５】
本明細書に記述するように、ＣＤ１１０のそれぞれは、誤配置されているページ検出および対応機能の様々な機能を提供するように連携するコンポーネントを含む。そのようなコンポーネントの代表的な実施形態の記述を以下に示す。ＳＣＤ１１０ＳおよびＤＣＤ１１０Ｄの機能を明確に記述する目的のために、ＳＣＤ１１０ＳおよびＤＣＤ１１０Ｄに共通するコンポーネントは、適用可能な場合は、ＳＣＤ１１０ＳおよびＤＣＤ１１０Ｄのコンポーネントに共通する参照番号の一部を使用して、まとめて参照されることがあり、また、適用可能な場合は、完全な参照番号を使用して、個々に参照されることがあることを理解されたい。
【００３６】
プロセッサ１１１は、ＣＤ１１０の機能を制御するようにそれぞれ構成されている。プロセッサ１１１は、誤配置されているページ検出および対応機能の様々な態様を提供するための１つまたは複数の方法を実行するように構成されている。
【００３７】
スキャナー１１２は、文書の電子表現を生成する目的のために文書をスキャンするように構成されている。スキャナー１１２は、たとえば、文書の１つまたは複数のコピーを印刷するため、ディスプレイを介してソフト・コピーとして見ることができる文書のコピーを格納するため、１つまたは複数の遠隔地に文書のコピーを伝送するためなど、およびそれらの様々な組み合わせなど、任意の目的のために文書をスキャンするために使用することができる。文書のスキャンおよび文書の電子表現の生成におけるスキャナー１１２の動作は、当業者なら理解されるだろう。
【００３８】
メモリ１１３は、プログラム、データ、ならびにプログラム、データ、および誤配置されているページ検出および対応機能の提供に関連する他の情報を含む、ＣＤ１１０の動作に関連する他の情報を格納するように構成されている。
【００３９】
メモリ１１３は、プロセッサ１１１によって実行されたときに、それぞれ、誤配置されているページ検出および対応機能をサポートするように様々な機能を提供するプログラムを格納する。
【００４０】
メモリ１１３は、また、誤配置されているページ検出および対応機能に関連する１つまたは複数のパラメータを格納することができる。
【００４１】
一実施形態では、たとえば、メモリ１１３は、誤配置されているページ検出および対応機能がいつ使用されるかを示す１つまたは複数のパラメータを格納することができる。たとえば、そのようなパラメータは、送信する文書に対してのみ、受信する文書に対してのみ、送信および受信するすべての文書に対して、特定の宛先に送信されたおよび／または特定のソースから受信された文書に対して（たとえば、特定のファックス番号、電子メール・アドレスなど）など、およびそれらの様々な組み合わせに対して、誤配置されているページ検出および対応機能が使用されることを指定するために使用することができる。
【００４２】
一実施形態では、たとえば、メモリ１１３は、文書の誤配置されているページの検出時に提示されるアラームを制御する１つまたは複数のパラメータを格納することができる。たとえば、そのようなパラメータは、誤配置されているページの検出時に提示されるアラームのタイプを指定するために使用することができる（たとえば、聴覚のみ、視覚のみなど、およびそれらの様々な組み合わせ）。たとえば、そのようなパラメータは、提示の頻度（たとえば、どれくらいの頻度で音を鳴らすか、どれくらいの頻度で点滅（複数可）させるかなど）、提示の期間（たとえば、検出後に５分間、ユーザがアラームを認めるまでなど）、および／または他の適切な特性、ならびにそれらの様々な組み合わせなど、アラーム表示の特性を指定するために使用することができる。アラーム提示の他の適切な特性も制御できることを理解されたい。そのようなパラメータの任意の適切な組み合わせをアラーム提示を制御するために使用できることもさらに理解されたい。本明細書において、特性／パラメータのそのような組み合わせは、アラーム提示モデルと呼ばれることがある。異なるシナリオで異なるアラーム提示モデルを使用できる実施形態では、そのようなパラメータは、アラーム提示モデルの構成を指定するために使用することができる。たとえば、そのようなパラメータは、次のようなモデルを指定するために使用することができる：（ａ）第１のタイプのアラームは裏返しのページに使用され、第２のタイプのアラームは不正確な向きに配置されているページに使用される。（ｂ）第１のタイプの可聴アラームは、送信する文書に使用され、第２のタイプの可聴アラームは受信する文書に使用される。（ｃ）可聴アラームは送信する文書に使用され、視覚アラームは受信する文書に使用される。（ｄ）第１のタイプの視覚アラームは、第１のソース（複数可）／宛先（複数可）に関連する文書に使用され、第２のタイプの視覚アラームは、第２のソース（複数可）／宛先（複数可）に関連する文書に使用される。そのようなパラメータは、異なる条件下で異なるアラームを使用できる他の適切なアラーム提示モデルを指定するために使用することができる。アラームとともにステータス情報が含まれている実施形態では、そのようなパラメータは、ステータス情報のタイプ（たとえば、誤配置されているページのページ番号、ページの誤配置のタイプまたは潜在的なタイプなど、およびそれらの様々な組み合わせ）、ステータス情報が提示される方法（たとえば、表示手段を介して、ステータス・メッセージを印刷してなど）など、およびそれらの様々な組み合わせを指定するために使用することができる。アラームの提示に関する制御の他の適切な精度もサポートできることを理解されたい。
【００４３】
一実施形態では、たとえば、メモリ１１３は、誤配置されているページの検出に関連する検出感度を示す１つまたは複数の検出感度パラメータを格納することができる。一実施形態では、単一の検出感度パラメータは、複数の誤配置タイプの検出感度を制御するために使用することができる。一実施形態では、たとえば、複数の検出感度パラメータを複数の誤配置タイプの検出感度を制御するために使用することができる（たとえば、空白または実質的に空白のページの検出を制御するための検出感度パラメータ、使用不可能または望ましくない向きに配置されているページの検出を制御するための検出感度パラメータなど）。そのような実施形態では、検出感度パラメータ（複数可）は、手動および／または自動で構成することができる。
【００４４】
空白または実質的に空白のページの検出を制御するための検出感度パラメータに関して、検出感度パラメータを増加および減少すると、空白または実質的に空白のページとして検出されるページが減る、または増える結果となることを理解されたい。たとえば、他の場合は、空白ページとして検出されるのを防ぐことができる印がページにある、またはあることが予想される場合、たとえページに有益な情報がない場合でも（たとえば、線入り用紙が使用されている場合、コピー・デバイスが、コピー／スキャンされるページに印を残す可能性があるほこり、ごみ、指紋などのために汚れている場合など）、検出感度パラメータは、そのような印がページ上にあるにもかかわらず、空白としてページが検出されるように設定することができる。同様に、たとえば、少なくとも一部のページが少量の有益な情報を含むが、その他には印がない、または実質的にないと予想される場合、ページが空白として検出されないように検出感度パラメータを設定することができる。
【００４５】
空白または実質的に空白のページの検出を制御するための検出感度パラメータ（複数可）は、任意の適切な方法で指定することができる。
【００４６】
一実施形態では、たとえば、そのページが空白であると考えられるかどうかを決定するために、ページの絶対的なコントラストが使用される場合、検出感度パラメータは、特定の値または値の組として指定することができる。
【００４７】
一実施形態では、たとえば、そのページが空白であると考えられるかどうかを決定するために、ページの絶対的なコントラストまたはコントラストの変動が使用される場合、検出感度パラメータは、しきい値として指定することができる。そのような一実施形態では、たとえば、検出感度パラメータがしきい値として指定される場合：（ａ）しきい値を下回る絶対的なコントラストまたはコントラストの変動が検出されると、空白としてページが検出される。および（ｂ）しきい値を上回る絶対的なコントラストまたはコントラストの変動が検出されると、ページは空白または実質的に空白ではないと決定される（したがって、処置は講じられない）。これは、少なくとも部分的に数学的な決定であるため、空白および実質的に空白のページの検出を可能にするために、検出感度パラメータと関連するコントラスト値と間の他の様々な関係を使用できることを理解されたい。
【００４８】
使用不可能または望ましくない向きに配置されているページの検出を制御するための検出感度パラメータに関して、検出感度パラメータを増加および減少すると、使用不可能または望ましくない向きに配置されている（したがって、誤配置されている）ものとして検出されるページが減る、または増える結果となることを理解されたい。たとえば、ページのコンテンツの期待される配置に対して角度を付けて配置されているコンテンツがページにある、またはあることが予想される場合（たとえば、自動文書送り込み装置を備えるコピー・デバイスに小さな角度を付けてページを送り込めるため、ソース・コピー・デバイスおよび宛先コピー・デバイスのページのコンテンツが斜めになる場合）、これらのページが誤配置されているものとして検出されないように、検出感度パラメータを設定することができる（たとえば、ページに対して小さな角度を付けて配置されているコンテンツを含む傾向があるファックスを送信および受信するコピー・デバイスで誤配置されているページが連続的に検出されるのを回避するため）。同様に、たとえば、ページに対して角度を付けて配置されるコンテンツを持つことがページに予想されない（または持てない）場合、ページを誤配置されているページとして検出できるように、ページのコンテンツのわずかな歪みでも検出されるように、検出感度パラメータを設定することができる。
【００４９】
使用不可能または望ましくない向きに配置されているページの検出を制御するための検出感度パラメータ（複数可）は、任意の適切な方法で指定することができる。
【００５０】
一実施形態では、たとえば、ページの向きが使用不可能または望ましくないかどうかを決定するために光学式文字認識技術が使用される場合、検出感度パラメータは、認識可能または認識不可能な文字のしきい値の数値または割合として指定することができる。
【００５１】
一実施形態では、たとえば、ページの向きが使用不可能または望ましくないかどうかを決定するためにコントラスト・パターン認識技術が使用される場合、検出感度パラメータは、ページのコンテンツの向きが使用不可能または望ましくないことを示すことができるコントラスト・パターンの認識に使用するのに適したパターン認識情報として指定することができる。
【００５２】
このように、検出感度パラメータ（複数可）を介して検出感度をユーザが制御するのを可能にすることによって、ユーザは、誤配置されているページ検出および対応機能の動作を微調整できることを理解されたい。
【００５３】
前述のパラメータは任意の適切な方法で構成できることを理解されたい。一実施形態では、これらのパラメータの少なくとも一部は、（たとえば工場での初期設定として）ＣＤ１１０で事前に構成することができる。一実施形態では、これらのパラメータの少なくとも一部は、ＣＤ１１０で動的に構成することができる。パラメータは、ローカル（たとえば、ＣＤ１１０のユーザ・インターフェイス１１７を介して）および／または遠隔（たとえば、ＣＤ１１０へのリモート・ネットワーク接続を介して）で構成することができる。
【００５４】
メモリ１１３の記述を通じて主に説明したが、前述のパラメータは、より一般的に、それぞれのＣＤ１１０によって利用および管理できるものと考えられるため、そのようなパラメータは、任意の適切な方法で維持することができることを理解されたい（たとえば、そのようなパラメータは、メモリ１１３内に格納された１つまたは複数のプログラム内に定義および管理することができ、誤配置されているページ検出および対応機能を提供するためにプロセッサ１１１によって実行することができ、ＣＤ１１０の１つまたは複数の他のコンポーネントなど、およびそれらの様々な組み合わせを使用して定義および管理することができる）。
【００５５】
メモリ１１３は、文書の電子表現を格納する。一実施形態では、たとえば、ＳＣＤ１１０Ｓのメモリ１１３Ｓの場合には（たとえば、コピー、印刷、格納、および／または伝送する文書について）、メモリ１１３Ｓは、スキャナー１１２Ｓによって生成された、コピーおよび印刷、格納、ならびに／または伝送される文書の電子表現を格納する。一実施形態では、たとえば、ＳＣＤ１１０Ｄのメモリ１１３Ｄの場合には（たとえば、文書の電子表現として受信される、受信された文書について）、メモリ１１３Ｄは、文書の電子表現を格納する（たとえば、ＤＣＤ１１０Ｄに文書のコピーを維持するため、プリンタ１１４Ｄを使用して文書の印刷を介して文書のコピーを提示する際に使用するため、および／またはユーザ・インターフェイス１１７Ｄを介して文書を表示するためなど）。
【００５６】
メモリ１１３は、そのような情報を格納するのに適した任意のタイプのメモリを含むことができる。
【００５７】
プリンタ１１４は、文書を印刷するように構成されている。たとえば、ＳＣＤ１１０Ｓが写真複写機である場合、ＳＣＤ１１０Ｓは、ＳＣＤ１１０Ｓでスキャンされた文書のコピーを印刷することができる。たとえば、ＣＤ１１０がファックス装置である場合、ＤＣＤ１１０Ｄは、ＳＣＤ１１０ＳからＤＣＤ１１０Ｄで受信されたファックスのコピーを印刷することができる。文書の印刷におけるプリンタ１１４の動作は、当業者なら理解されるだろう。本明細書に記述するように、ＣＤ１１０内および／またはＣＤ１１０によるプリンタ１１４の存在および／または使用は、少なくとも一部の実施形態では任意でもよい。一実施形態では、プリンタ１１４は、文書の誤配置されているページの検出を示すアラームを提示する際に使用するように適応されている。
【００５８】
メッセージング・モジュール１１５は、ＣＤ１１０のメッセージング機能をサポートするためにそれぞれ構成されている。たとえば、メッセージング・モジュール１１５は、ＳＣＤ１１０ＳとＤＣＤ１１０Ｄとの間で文書を送るためにメッセージングをサポートするように構成することができる（たとえば、文書のコピーを送信するのに適した電子メール・メッセージまたは他のタイプ（複数可）のメッセージ）。たとえば、メッセージング・モジュール１１５は、文書の誤配置されているページの検出に応じて生成されたアラームを示すメッセージを伝搬するためにメッセージングをサポートするように構成することができる（たとえば、電子メール・メッセージ、ショート・メッセージ・サービス（ＳＭＳ）メッセージ、マルチメディア・メッセージ・サービス（ＭＭＳ）メッセージ、インスタント・メッセージなど、およびそれらの様々な組み合わせを使用）。メッセージング・モジュール１１５は、ファックス装置、写真複写機、スキャナー、ユーザ・デバイスなどのデバイスで使用するに適した他のメッセージング機能もサポートすることができる。
【００５９】
通信用インターフェイス１１６は、ＣＮ１２０とインターフェイスするように構成されているため、ＣＮ１２０を介したＳＣＤ１１０ＳとＤＣＤ１１０Ｄとの間の通信が可能になる。通信用インターフェイス１１６は、通信用インターフェイス１１６が使用されるＣＤ１１０のタイプ、ＣＤ１１０が使用される環境のタイプ（たとえばオフィス、家など）、ＣＤ１１０が接続されるＣＮ１２０のタイプなど、およびそれらの様々な組み合わせなどの要因に依存する任意の適切な方法で実装することができる。たとえば、通信用インターフェイス１１６は、電話線を介して通信するためのモデム、イーサネット・ネットワークを介して通信するためのイーサネット通信機能など、およびそれらの様々な組み合わせを含むことができる。通信用インターフェイス１１６は、他の適切な通信機能もサポートすることができる。
【００６０】
ユーザ・インターフェイス１１７は、ＣＤ１１０の動作を制御するように構成されている。ユーザ・インターフェイス１１７は、提示手段（たとえば、スピーカ、ＬＥＤディスプレイ、表示画面、および／またはグラフィカル・ユーザ・インターフェイスをサポートするモニターなど）、制御手段（たとえば、ボタン、キーパッド、キーボード、マウス、タッチ・スクリーンなど）など、およびそれらの様々な組み合わせなど、任意の適切なユーザ・インターフェイス手段を含むことができる。ユーザ・インターフェイス１１７、および関連するユーザ・インターフェイス手段は、異なるタイプのＣＤ１１０では異なることがあることを理解されたい。ＣＤ１１０として使用できるファックス装置、スキャナー、写真複写機、コンピュータ、携帯電話、および同様のデバイスのユーザ・インターフェイスの設計、動作、および機能は、当業者には理解されるだろう。
【００６１】
一実施形態では、たとえば、ＳＣＤ１１０Ｓのユーザ・インターフェイス１１７Ｓは、文書のコピーを開始するため（たとえば、印刷、保存、および／または伝送のため）、文書のコピーに関連するパラメータを指定するため（たとえば、コピー部数、コントラスト比、およびファックス装置、写真複写機、スキャナーで指定できる同様のパラメータ、ならびに他のタイプのコピー・デバイスで指定できる他の類似するパラメータ）、伝送のためにコピーされる文書の宛先（複数可）を指定するため（たとえば、ファックス番号の入力または選択、電子メール・アドレスの入力または選択など）など、およびそれらの様々な組み合わせに使用することができる。
【００６２】
一実施形態では、たとえば、ＤＣＤ１１０Ｄのユーザ・インターフェイス１１７Ｄは、文書の受信されたコピーを格納、表示、および／または印刷するために文書の受信されたコピーにアクセスするために使用することができる。たとえば、ＤＣＤ１１０Ｄがソース・ファックス装置から文書のコピーを受信するファックス装置である場合、ファックスが受信されるときにユーザ・インターフェイス１１７Ｄが使用される可能性は低く、文書のコピーの電子表現を受信するときに、ファックス装置は、文書のコピーの電子表現を自動的に処理し、ユーザに対話を要求することなく文書のコピーを印刷する。たとえば、ＤＣＤ１１０Ｄがコンピュータ、携帯電話、またはソース写真複写機から文書のコピーを受信する他のユーザ・デバイスである場合、ユーザ・インターフェイス１１７Ｄは、文書のコピーを表示、格納、および／または印刷するために使用することができる（たとえば、ユーザが電子メールを開き、文書のコピーを格納および／または開くために文書のコピーを含む添付ファイルを選択する場合）。
【００６３】
一実施形態では、ユーザ・インターフェイス１１７は、ユーザが誤配置されているページ検出および対応機能に関連する１つまたは複数のパラメータの構成を制御することを可能にするように適応される。そのような一実施形態では、たとえば、ユーザ・インターフェイス１１７は、次の１つまたは複数をユーザが制御できるように構成することができる：誤配置されているページ検出および対応機能がいつ使用されるかを示す１つまたは複数のパラメータ、文書の誤配置されているページの検出に応じて開始される対応（複数可）を示す１つまたは複数のパラメータ（たとえば、配置の自動修正が実行されるかどうか、文書の誤配置されているページの検出時に提示されるアラームなど、およびそれらの様々な組み合わせ）、誤配置されているページの検出に関連する検出感度パラメータなど、およびそれらの様々な組み合わせ。これらのパラメータについて、そのようなパラメータを格納および維持するために使用されるメモリ１１３とともに本明細書に記述する。
【００６４】
誤配置されているページ検出および対応機能に関連するパラメータの構成は、任意の適切な方法で制御することができ、これはＣＤ１１０で利用可能なユーザ・インターフェイスのタイプに依存することがある。
【００６５】
一実施形態では、たとえば、写真複写機、ファックス装置、スキャナー、または他の類似するコピー・デバイスは、１つまたは複数のそのようなパラメータの制御専用のボタン（複数可）を含むことができ、これは、ユーザによって選択されたときに、ユーザによって指定された方法で関連するパラメータ（複数可）を変更し（たとえば、そのようなコピー・デバイスで典型的に見られるコントラスト比ボタンおよび他の類似するコントロールに似ている）、その設定は、関連する表示手段を介して（一時的にまたは永久に）表示することができる。たとえば、ファックス装置、写真複写機、スキャナー、または他の類似するコピー・デバイスは、検出感度パラメータの制御専用のボタン（複数可）を含むことができ、それは、ユーザによって選択されたときに、誤配置されているページが検出される感度を増加または減少させる。他のパラメータまたはパラメータのグループ専用の他のボタンも使用することができる。
【００６６】
一実施形態では、たとえば、ファックス装置、写真複写機、スキャナー、コンピュータ、または他の類似するコピー・デバイスは、コピー装置の表示手段および関連するユーザ制御手段を介して、１つまたは複数のそのようなパラメータの設定を可能にする機能を含むことができる。たとえば、コピー・デバイスのユーザは、マウス、キーボード、タッチ・スクリーン、および同様の制御手段の１つまたは複数を使用して、そのようなパラメータを見直し設定する目的のために、コピー・デバイスで実行されているアプリケーション（複数可）の構成／設定部分（複数可）にアクセスすることができる。
【００６７】
特定の例に関して記述したが、そのようなパラメータは、任意の適切なユーザ・インターフェイス機能を使用して設定することができ、これは、使用されているコピー・デバイスのタイプに依存していることを理解されたい。
【００６８】
一実施形態では、ユーザ・インターフェイス１１７は、誤配置されているページの検出を示すアラームを提示する際に使用するように適応される。一実施形態では、ユーザ・インターフェイス１１７は、プロセッサ１１１からの指示に応じてアラームをそれぞれ提示し（たとえば、文書の誤配置されているページをプロセッサ１１１が検出すると、プロセッサ１１１は、制御信号を生成し、誤配置されているページの検出を示すアラームを提示するようにユーザ・インターフェイスをトリガーするためにユーザ・インターフェイス１１７に制御信号を提供する）、これは、次に、本明細書に記述する任意の適切なユーザ・インターフェイス手段を使用して提示することができる。
【００６９】
アラート・モジュール１１８は、文書の誤配置されているページの検出を示すアラームを提示する際に使用するように構成される。一実施形態では、アラート・モジュール１１８は、プロセッサ１１１からの指示に応じてアラームをそれぞれ提示する（たとえば、文書の誤配置されているページをプロセッサ１１１が検出すると、プロセッサ１１１は、制御信号を生成し、誤配置されているページの検出を示すアラームを提示するためにアラート・モジュールをトリガーするためにアラート・モジュール１１８に制御信号を提供する）。アラート・モジュール１１８は、アラームを提示するために任意の手段を含むことができ、これは、提示されるアラームのタイプに依存することができる。たとえば、アラート・モジュール１１８は、可聴アラームを提示するために１つまたは複数の可聴式提示手段（たとえば１つまたは複数のスピーカ、ＣＤ１１０を振動させるための手段など）を含むことができる。たとえば、アラート・モジュール１１８は、視覚アラームを提示するための１つまたは複数の視覚提示手段（たとえば電球、ＬＥＤなどの照明、メッセージを表示するための表示手段など）を含むことができる。文書の誤配置されているページの検出を示すアラームがユーザ・インターフェイス１１７を介して提示される一実施形態では、アラート・モジュール１１８は省略したり、またはユーザ・インターフェイス１１７に統合したりできる（または、少なくともアラート・モジュール１１８の機能は、ユーザ・インターフェイス１１７に組み込むことができる）。
【００７０】
特定の作用および機能に関して主に描写および記述したが、ＣＤ１１０はそれぞれ、より少ないまたはより多い、ならびに異なるタイプの作用および機能を含むことができることを理解されたい。一実施形態では、たとえば、ＣＤ１１０の１つまたは両方は、光学式文字認識（ＯＣＲ）機能を含むことができる。一実施形態では、たとえば、ＣＤ１１０の１つまたは両方は、自動文書送り込み装置を含むことができ（たとえば、ファックス装置、写真複写機、および他のそのようなデバイスは、典型的には自動文書送り込み装置を含む）、その動作は当業者には理解されるだろう。ＣＤ１１０はそれぞれ、他の適切な作用および／または機能を含むことができる。ＣＤ１１０内にそのような作用および機能を含めることは、それぞれＣＤ１１０を実装するために使用されるデバイスのタイプに依存することができることを理解されたい。
【００７１】
ＣＤ１１０の特定のコンポーネントによって、および／またはＣＤ１１０のコンポーネントの特定の組み合わせによって誤配置されているページ検出および対応機能の特定の部分が実行される実施形態に関して本明細書に主に描写および記述するが、誤配置されているページ検出および対応機能の様々な機能は、他の適切な方法で実行できることを理解されたい（たとえば、異なるコンポーネント、コンポーネントの異なる組み合わせを使用するなど）。したがって、誤配置されているページ検出および対応機能を提供する際のＣＤ１１０のより一般的な動作は、図２および図３に関して、より理解することができるだろう。
【００７２】
図２は、文書の誤配置されているページを検出し、文書の誤配置されているページの検出に対応する方法の一実施形態を示す図である。図２の方法２００は、図２に関して記述されるように一部の違いはあるが、ソース・コピー・デバイスまたは宛先コピー・デバイスによって実行することができる。
【００７３】
ステップ２０２で、方法２００が始まる。
【００７４】
ステップ２０４において、文書のページの電子表現が選択される。
【００７５】
文書のページの電子表現の選択は、ページが誤配置されているかどうかを決定するために、文書のページの電子表現を処理できるようにするのに適した任意の動作（複数可）を含むことができる（たとえば、ページの電子表現を受信すること、メモリからページの電子表現を取得すること、メモリ内のページの電子表現にアクセスすること、およびそれらの様々な組み合わせなど）。
【００７６】
たとえば、方法２００がソース・コピー・デバイスで実行される実施形態では、ページの電子表現は、スキャナー１１２Ｓおよび／またはメモリ１１３Ｓからプロセッサ１１１Ｓによって受信／取得／アクセスすることができる。
【００７７】
たとえば、方法２００が宛先コピー・デバイスで実行される実施形態では、ページの電子表現は、メモリ１１３Ｄおよび／または通信用インターフェイス１１６Ｄからプロセッサ１１１Ｄによって受信／取得／アクセスすることができる。たとえば、ページの電子表現は、最初にＣＮ１２０を介して受信され、次に、処理するためにプロセッサ１１１Ｄに直接提供され、格納するためにメモリ１１３Ｄに提供され、次に、処理するためにプロセッサ１１１Ｄに提供され、というようになる。この意味で、宛先コピー・デバイスにおいて、ページの電子表現は、ローカルに（たとえばメモリ１１３Ｄから）または遠隔に（たとえばＣＮ１２０を介してＳＣＤ１１０Ｓから）受信されると考えることができる。
【００７８】
ページの電子表現は、任意の適切な形式で表すことができる。一実施形態では、ページの電子表現は、ページの複数のピクセルのそれぞれに関連する情報を含む。ページのピクセルの画素情報は、ページのそのピクセルを再現するのに適した情報を含む。一実施形態では、たとえば、ピクセルの画素情報は、文書のそのページのそのピクセルのコントラストを示すコントラスト情報を含む。たとえば、白黒ページについては、各ピクセルは１ビットを使用して表すことができる（たとえば、「０」は白色で、「１」は黒色、またはその反対）。同様に、たとえば、グレイスケールおよびカラー・ページについては、各ピクセルは、複数のビットを使用して表すことができ、この場合、異なる組み合わせのビット値は、異なる濃淡および／または色を表す。ページの電子表現は、他の適切な形式で表すことができる。文書のページの電子表現は、当業者には理解されるだろう。
【００７９】
ステップ２０６において、ページの電子表現は、ページが誤配置されているかどうかを決定するために処理される。
【００８０】
ページの電子表現は、ページが誤配置されているかどうかを決定するのに適した任意の方法で処理することができる。
【００８１】
一実施形態では、ページが誤配置されているかどうかを決定するためのページの電子表現の処理は、ページが空白または実質的に空白かどうかを決定するためのページの電子表現の処理を含む。本明細書に記述するように、空白または実質的に空白としてのページの検出は、特に、ページが裏返しであることを示すことができる（たとえば、コピーまたはファックスするときにページが裏返しの場合など、ページのコンテンツを含む面が上向きであるべきなのに、下向きに配置される、またはその逆など）。
【００８２】
一実施形態では、ページが空白または実質的に空白かどうかを決定するためのページの電子表現の処理は、ページのピクセルに関連するコントラスト情報を使用して実行される。たとえば、ページのコントラスト情報は、ページのピクセルの絶対的なコントラスト、ページのピクセルのコントラストの変動、および／または他の適切なコントラスト情報、およびそれらの適切な組み合わせを含むことができる。
【００８３】
一実施形態では、本明細書に示すように、ページが空白または実質的に空白かどうかを決定するために処理されるページのコントラスト情報は、ページのピクセルの絶対的なコントラストを含む。ページのピクセルに関連する絶対的なコントラスト情報は、ページが空白または実質的に空白かどうかを決定するために任意の適切な方法で処理することができる。一実施形態では、たとえば、ページが空白または実質的に空白かどうかを決定するためにページの電子表現を処理することは、ページのピクセルに関連する１つまたは複数の絶対的なコントラスト値が特定の値を持っているかどうかを決定することを含む。一実施形態では、たとえば、ページが空白または実質的に空白かどうかを決定するためにページの電子表現を処理することは、ページのピクセルに関連する１つまたは複数の絶対的なコントラスト値がしきい値を満たすかどうかを決定することを含む。コントラストの変動ではなく、絶対的なコントラストを使用することで、白紙上にある空白ページを検出することが可能になる。しかし、絶対的なコントラストの使用は、カラー紙、線入り用紙、および下地に色および／または印がある他のタイプの用紙に印刷される空白ページを検出できないことがある。その理由は、下地となるシートの色／印はコントラストとして検出される可能性が高く、したがって、ページに有益な情報がない場合でも（またはカラー紙の場合など、印がない場合でも）、コントラストを検出した結果、ページが空白でない、または実質的に空白でないと決定されるからである。したがって、色付きのページ、線入り用紙などが使用されることが予想されない場合、絶対的なコントラストの使用を利用することができる。
【００８４】
一実施形態では、本明細書に示すように、ページが空白または実質的に空白かどうかを決定するために処理されるページのコントラスト情報は、ページのピクセルのコントラストの変動を含む。ページのピクセルに関連するコントラストの変動は、ページが空白または実質的に空白かどうかを決定するために任意の適切な方法で処理することができる。一実施形態では、たとえば、ページが空白または実質的に空白かどうかを決定するためにページの電子表現を処理することは、ページのピクセル間のコントラストの変動がしきい値を満たすかどうかを決定することを含む（たとえば、しきい値を下回る変動は、空白または実質的に空白としてページが特定されたことを示し、しきい値を上回る変動は、空白または実質的に空白としてページが特定されないことを示している）。空白ページに有益な情報はないが、ページには、ピクセルの絶対的なコントラストが処理される場合に、そうでなければ空白ページ検出に失敗する可能性がある特性を持っている場合に、絶対的なコントラストではなく、コントラストの変動を使用することで、空白ページを検出できるようになる（たとえば、ページがカラー紙に印刷されている場合、ページが線入り用紙に印刷されている場合、夜に、またはレンズ・カバーをしたままページの写真が撮られたため、写真のすべてまたは大部分が黒色の場合など）。
【００８５】
空白または実質的に空白のページを検出するために絶対的なコントラストまたはコントラストの変動のいずれかが使用される実施形態に関して主に記述したが、一部の実施形態では、そのようなコントラスト情報の組み合わせは、空白または実質的に空白のページを検出するために使用することができる。
【００８６】
空白または実質的に空白のページを検出するために絶対的なコントラストまたはコントラストの変動のいずれかが使用される実施形態に関して主に記述したが、一部の実施形態では、コントラスト・パターン（またはその欠如）の検出は、空白または実質的に空白のページを検出するために使用することができる。一部のそのような実施形態では、そのようなコントラスト・パターンの検出は、空白または実質的に空白としてページが特定されるかどうかを最終的に決定するコントラスト・パターンを検出するために、コントラストの変動の検出を利用することができる。
【００８７】
一実施形態では、ページが誤配置されているかどうかを決定するためのページの電子表現の処理は、ページが使用不可能または望ましくない向きに配置されているかどうかを決定するためのページの電子表現の処理を含む。
【００８８】
一実施形態では、使用不可能または望ましくない向きに配置されているページの検出は、パターン認識技術（たとえば、ページに関連するコントラスト情報を使用）、光学式文字認識（ＯＣＲ）技術など、およびそれらの様々な組み合わせの１つまたは複数を使用して実行することができる。
【００８９】
一実施形態では、使用不可能または望ましくない向きに配置されているページの検出は、パターン認識技術を使用して実行することができる。
【００９０】
そのような一実施形態では、たとえば、ページは、ページのコントラスト変更の特定のパターンの検出に応じて、使用不可能または望ましくない向きに配置されているものとして検出することができる。たとえば、ページのテキストがページの１つの軸（たとえば左右）に合わせて配置されていることが期待されるが、ページのテキストは、ページの期待される軸に合わせて配置されていないと検出された場合（たとえば、テキストが上下軸、またはその間の他の軸に沿って配置されている）、ページは使用不可能または望ましくない向きに配置されていると検出される。この例では、ページのテキストがページの左右軸に合わせて配置されることが期待される場合、ページの上からページの下に向かって処理が進むにつれて、ページの左右軸を横切って、（１）線の大部分に沿ってコントラストがある線および（２）線に沿ってコントラストがない線のインターリービングがあることが期待される。この例では、ページの上からページに下に向かって処理が進むにつれて、すべて（または少なくともほとんどの）線でコントラストが検出されると、このパターンは、ページが誤配置されていることを示す（たとえば、いずれかの方向に９０％、または他の角度だけ回転している）。一般的に、この実施形態は、ほぼ任意の方法で不正確な向きに配置されている不正確な向きに配置されたページの検出が可能になる。しかし、この実施形態が実装される方法に基づいて、この実施形態が上下逆さまのページを検出しない場合がある（たとえば、ページの言葉の向きがページのコンテンツの期待される向きから１８０％回転しているために、言葉が上下逆さまであるが、コントラスト・パターンは適切な向きに配置されたページのコントラスト・パターンに実質的に類似しているため、不正確な向きに配置されているとしてページが検出されない場合）。この例におけるページの期待される向きは例示的なものにすぎず、ページのコンテンツの様々な他の向きが期待される／望まれることを理解されたい。この例におけるページの処理の記述した順序も例示的なものにすぎず、ページのコントラスト変更の特定のパターンを検出するためのページの処理は、任意の適切な順序で実行できることを理解されたい。
【００９１】
一実施形態では、たとえば、ページは、ＯＣＲ技術を使用して、使用不可能または望ましくない向きに配置されているとして検出することができる。そのような一実施形態では、たとえば、ページは、ＯＣＲ処理がページの文字の認識に失敗したという決定に応じて誤配置されているとして検出することができる（たとえば、すべての文字の認識に失敗する、一部の文字を認識するが、少なくともしきい値数の文字の認識に失敗するなど、およびそれらの様々な組み合わせ）。この実施形態は、任意の方法で誤配置された誤配置されているページの検出を可能にする（たとえば、いずれかの方向にある角度だけ回転されている、１８０％逆にされているなど）。
【００９２】
ページが誤配置されているかどうかを決定するために特定タイプの情報／処理が使用される実施形態に関して本明細書に主に描写および記述したが（たとえば、コントラスト情報、コントラスト・パターン認識技術、ＯＣＲ技術など、およびそれらの様々な組み合わせ）、少なくとも一部の実施形態では、誤配置されているページを検出するために他のタイプの情報および／または処理を使用することができる。したがって、図３に関して、そのようなより一般的な実施形態について描写および記述する。
【００９３】
ステップ２０８において、文書の選択されたページが誤配置されていると決定するかどうかに関して決定が下される。選択されたページが誤配置されていないと決定された場合、方法２００はステップ２１０に進む。選択されたページが誤配置されていると決定された場合、方法２００はステップ２１２に進む。
【００９４】
ステップ２１０において、文書の最終ページが選択および処理されたかどうかに関して決定が下される。文書の最終ページが選択および処理されていない場合、方法２００はステップ２０４に戻り、この時点で、文書の次のページが処理のために選択され、方法２００は継続する。文書の最終ページが選択および処理されている場合、方法２００はステップ２１６に進み、この時点で、方法２００は終了する。
【００９５】
ステップ２１２において、アラームが生成および提示される。
【００９６】
アラームは任意の適切な形式で生成することができる。一実施形態では、たとえば、アラームは、アラームの提示をトリガーする際に使用するのに適応した１つまたは複数の制御信号として生成することができる。一実施形態では、たとえば、アラームは、アラームの提示をトリガーする際に使用するのに適応した１つまたは複数の制御メッセージとして生成することができる（これは、より詳細な誤配置されているページ検出情報を提示する際に使用するためなど、誤配置されているページの検出に関連する追加のステータス情報を含むことができる）。アラームは他の適切な形式で生成することができる。
【００９７】
アラームは、誤配置されているページが検出されるコピー・デバイスによって生成される。アラームは、誤配置されているページが検出されるコピー・デバイスによって、誤配置されているページが検出されるコピー・デバイス対して遠隔になど、およびそれらの様々な組み合わせで提示することができる。このように、誤配置されているページが検出されたコピー・デバイスは、コピー・デバイスでローカルに提示するために、および／または遠隔デバイス（複数可）に提示のために伝搬するためにアラームを生成する。
【００９８】
アラームは、任意の適切な方法で提示することができる（たとえば、任意の適切な提示手段を介して、任意の適切な形式でなど、およびそれらの様々な組み合わせ）。
【００９９】
一実施形態では、たとえば、アラームがコピー・デバイスによって提示される場合、アラームは、コピー・デバイスがアラームを提示できる任意の適切な手段を使用して提示することができる。そのような一実施形態では、たとえば、アラームは、コピー・デバイスのアラート・モジュールおよび／またはユーザ・インターフェイスを使用して提示することができる。アラームは、可聴アラーム、視覚アラームなど、およびそれらの様々な組み合わせでもよい。
【０１００】
一実施形態では、たとえば、アラームが可聴アラームである場合、可聴アラームは、任意の適切な可聴アラームを使用して提示することができる。たとえば、可聴アラームは、１つまたは複数のビープ音または他の適切な音、話されたメッセージ、振動を通じて生成された音など、およびそれらの様々な組み合わせを使用して提示することができる。
【０１０１】
一実施形態では、たとえば、アラームが視覚アラームである場合、視覚アラームは、任意の適切な視覚的な手段を使用して提示することができる。一実施形態では、たとえば、コピー・デバイスで１つまたは複数の照明を点灯することによって、コピー・デバイスで１つまたは複数の照明を点滅させることによってなど、およびそれらの様々な組み合わせで、視覚アラームを提示することができる。一実施形態では、たとえば、視覚アラームは、コピー・デバイスのＬＥＤディスプレイ（たとえば、ファックス装置、写真複写機、スキャナーのＬＥＤディスプレイ、またはＬＥＤディスプレイを持つ他のコピー・デバイス）、コピー・デバイスのディスプレイに利用可能なグラフィカル・ユーザ・インターフェイス（ＧＵＩ）（たとえば、写真複写機、コンピュータ、携帯電話のＧＵＩディスプレイ、またはＧＵＩをサポートする他のコピー・デバイス）など、およびそれらの様々な組み合わせなど、コピー・デバイスのディスプレイ上にアラーム・メッセージを表示することによって提示することができる。一実施形態では、たとえば、視覚アラームは、コピー・デバイスを使用して、１つまたは複数のメッセージを印刷することによって提示することができる（たとえば、関連するファックスの伝送の完了時にソース・ファックス装置によって典型的に印刷される伝送ステータス・シートに誤配置されているページの検出の指示を印刷することによって、関連するファックスの受信および印刷時に宛先ファックス装置によって印刷されるステータス・シートに誤配置されているページの検出の指示を印刷することによって、コピーされる文書の印刷に続いて写真複写機によって印刷されるステータス・シートに誤配置されているページの検出の指示を印刷することによってなど）。他の適切なタイプの視覚表示手段および関連する視覚表示を、視覚アラームを提示するために使用できることを理解されたい。
【０１０２】
コピー・デバイスによる誤配置されているページのアラームの提示は、他の適切な方法で実装できることを理解されたい。
【０１０３】
一実施形態では、たとえば、アラームがコピー・デバイスから遠隔で提示された場合、アラームは、コピー・デバイスからアラームをユーザに提示できる１つまたは複数の他のデバイスに伝搬することができる。たとえば、誤配置されているページの検出を示すメッセージは、コンピュータ、電話、または１つまたは複数のユーザの他のデバイスに伝えることができる（たとえば、電話、電子メール、ＳＭＳメッセージ、ＭＭＳメッセージ、ＩＭなど、およびそれらの様々な組み合わせを介して）。アラームは、文書を送信または受信するユーザ、文書を送信または受信するユーザ（複数可）にかかわらずアラームを受信するように構成されたユーザ（複数可）など、およびそれらの様々な組み合わせなど、任意の適切なユーザ（複数可）に伝達することができる。たとえば、家庭環境では、ユーザは、電子メール、ＳＭＳメッセージ、ＭＭＳメッセージ、ＩＭ、または他の適切な手段を介して、文書の誤配置されているページ（複数可）の検出についてユーザに警告するようにコピー・デバイスを構成することができる。たとえば、オフィス環境では、誤配置されているページが検出されたときに通知を受信するユーザ（複数可）として、オフィスは１人または複数の人を任命することができる（たとえば、電話、電子メール、ＳＭＳメッセージ、ＭＭＳメッセージ、ＩＭ、または他の適切なタイプのメッセージングを介して、文書の誤配置されているページ（複数可）の検出についてユーザに警告するようにコピー・デバイスを構成することによって）。誤配置されている文書のアラームを遠隔に提示することは、他の適切な方法で実装できることを理解されたい。
【０１０４】
一実施形態では、アラームは関連するステータス情報を含むことができる。そのような一実施形態では、たとえば、アラームは、誤配置されているとして検出されたページ（複数可）のページ番号（複数可）を示す情報を含むことができる。アラームは、他の適切なステータス情報を含むことができる。
【０１０５】
アラームが提示される方法は、誤配置されているページが検出されるコピー・デバイスのタイプに依存できることを理解されたい。
【０１０６】
文書の誤配置されているページの検出を示すのに適した任意のアラームまたはアラームの組み合わせを使用できることを理解されたい。誤配置されているページ検出および対応機能は、特定のタイプのアラームに限定することを意図しておらず、そのような目的に適したアラームの任意およびすべてのタイプ、ならびに／または組み合わせを包含する。
【０１０７】
ステップ２１４（任意のステップ）で、１つまたは複数の制御動作を開始することができる。
【０１０８】
一実施形態では、制御動作の１つは、ユーザに文書のコピーを継続する、または文書のコピーを中断するオプションを提供することを含み、これは、文書のコピーが継続されている間、または一時的に中断されている間に提供することができる。一実施形態では、制御動作の１つは、文書のコピーを一時的に停止することを含む。一実施形態では、文書のコピーは、ユーザから指示を受信するまで一時的に中断することができる（たとえば、文書のコピーを継続するべきかどうか（たとえば、誤配置されているページの存在が重要でない場合、誤配置されているページが、文書内のセパレータとして意図的に使用される空白ページである場合）または文書のコピーを中断するべきかどうか（たとえば、文書のそれ以上のコピーを防ぎ、誤配置されているページ（複数可）のない文書のコピーを再開できるように）に関する指示）。一実施形態では、文書のコピーは、ユーザから指示を受信するまで、またはタイマーの終了まで一時的に中断することができる（このとき、文書のコピーは、自動的に継続または中断される）。一実施形態では、この制御動作がソース・コピー・デバイスで提供され、文書のコピーは継続される場合、オプションは、文書の１つまたは複数のスキャン、文書の電子表現の生成、文書の伝送、文書の印刷など、およびそれらの様々な組み合わせの間にユーザに提供することができる。一実施形態では、この制御動作がソース・コピー・デバイスで提供される場合、望まれない誤配置されているページが修正された後に再取り込みする必要がある可能性がある文書をさらに取り込むことを防ぐために、関連する制御動作は、コピー・デバイスの自動文書送り込み装置を自動的に停止することを含む（たとえば、自動文書送り込み装置は、現在のコピー・ジョブに対して永久に、または現在のコピー・ジョブに対して一時的に停止することができるため、ユーザにコピー・ジョブを継続するオプションを提供し、ユーザがコピー・ジョブを継続するかどうかを示すための時間を与えることができる）。一実施形態では、この制御動作が宛先コピー・デバイスに提供され、文書のコピーは継続される場合、文書の電子表現の受信、文書の電子表現の処理、文書の印刷／表示など、およびそれらの様々な組み合わせの１つまたは複数の間にユーザにオプションを提供することができる。オプションは、任意の適切な方法で提示することができ、同様に、ユーザによって選択されたオプションは、任意の適切な方法でユーザが入力することができることを理解されたい（たとえば、ファックス装置のコントロール・パネルでボタンを押す、マウス、キーボード、タッチ・スクリーン、および／またはディスプレイを介してオプションの選択を示す他の選択手段など、およびそれらの様々な組み合わせを使用する）。様々な他の関連する制御動作を、本明細書に記述した制御動作の代わりに、または制御動作に加えて開始できることを理解されたい。
【０１０９】
一実施形態では、制御動作の１つは、誤配置されているページが検出された第１のコピー・デバイスから第２のコピー・デバイスに、第１のコピー・デバイスの誤配置されているページの検出を示す警告メッセージを、伝送することを含む。
【０１１０】
この実施形態では、第１のコピー・デバイスはソース・コピー・デバイスであり、第２のコピー・デバイスは宛先コピー・デバイスである場合、警告メッセージは、ソース・コピー・デバイスから宛先コピー・デバイスに伝送される。警告は任意の適切な方法で伝送することができる。たとえば、２台のファックス装置の場合には、ソース・ファックス装置は、宛先ファックス装置に、（たとえば、ファックス装置間の現在のファックス・セッションの一部として、ファックス装置間で新しいファックス・セッションを開始することによってなど）ソース・ファックス装置は、送信したファックスが、再送信する必要がある可能性がある少なくとも１つの誤配置されているページを含むことを検出したことを示すメッセージを含む追加のシートをファックスすることができる。他の適切な警告メッセージも使用できることを理解されたい。
【０１１１】
この実施形態では、第１のコピー・デバイスが宛先コピー・デバイスで、第２のコピー・デバイスがソース・コピー・デバイスである場合、警告メッセージは、宛先コピー・デバイスからソース・コピー・デバイスに伝送される。警告は任意の適切な方法で伝送することができる。たとえば、２台のファックス装置の場合には、宛先ファックス装置はソース・ファックス装置とのファックス・セッションを開始することができ、セッションの確立時に、宛先ファックス装置は、受信したファックスが、再送信する必要がある可能性がある少なくとも１つの誤配置されているページを含むことを検出したことを示すメッセージを含むシートをソース・ファックス装置にファックスすることができる。他の適切な警告メッセージを使用できることを理解されたい。
【０１１２】
一実施形態では、制御動作の１つは、誤配置されているページの配置を修正することを含む。
【０１１３】
そのような一実施形態では、誤配置されているページが裏返しである場合（たとえば、ページが上向きであるべき場合に、ファックス装置に下向きに配置されている場合、ページが下向きである場合に、コピー装置に上向きに配置されている場合など、ページの２つの面が、実行される機能に関して不正確に配置されていた場合）、ページの反対面（つまり、誤配置されているページが検出されたときに処理されたページの面の反対側のページの面）は、ページの反対面が空白または実質的に空白かどうかを決定するために検査することができる。ページの反対面が空白または実質的に空白かどうかを決定するためのページの反対面の検査は、任意の適切な方法で実行することができる（たとえば、本明細書に描写および記述した空白または実質的に空白のページ検出するための機能を使用する、空白または実質的に空白のページを検出する際に使用するのに適した他の機能を使用するなど）。この実施形態では、ページが裏返しであるため、ページの反対面の検査の結果、ページの反対面がコンテンツを含んでいると決定される。この実施形態では、裏返しのページの修正は、任意の適切な方法で実行することができる（たとえば、ページの反対面からコンテンツを取り込み、空白または実質的に空白として検出されたページの面の代わりに、取り込まれたコンテンツを使用することによってなど）。これは、結果として得られるページ（つまり、実際に伝送、格納、表示などされるページ）が、そうでなければ得られる空白ページではなく、ページの正しいバージョンであるように実行することができる。そのような実施形態では、関連するアラームを鳴らすことも、鳴らさないこともできる。そのような実施形態は、少なくとも両面コピー機能をサポートする任意のコピー・デバイスで実装できることを理解されたい。
【０１１４】
そのような１つ実施形態では、誤配置されているページが、使用不可能または望ましくない向きに配置されている場合（たとえば、誤配置されているページが、他のページの向きに関してその面内でいくらかの角度だけ回転されている場合、および／またはページのコンテンツが、ページのコンテンツの必要または好ましい向きに関していくらかの角度だけ回転されている場合）、誤配置されているページの配置の修正は、任意の適切な方法で実行することができる。一実施形態では、たとえば、誤配置されているページが、他のページの向きに関してその面内でいくらかの角度だけ回転されている場合（たとえば、誤配置されているページが他のページに関して上下逆さまなど）、誤配置されているページの向きは、誤配置されているページの向きが他のページの向きに一致するように、誤配置されているページを回転させることによって修正することができる。一実施形態では、たとえば、ページのコンテンツが、ページのコンテンツの必要または好ましい向きに関していくらかの角度だけ回転されている場合、誤配置されているページの向きは、誤配置されているページのコンテンツの配置を変更することによって修正することができる。これは、そうでなければ得られる誤配置されているページではなく、結果として得られるページ（つまり、実際に伝送、格納、表示などされるページ）がページの正しいバージョンであるように実行することができる。そのような実施形態では、関連するアラームを鳴らすことも、鳴らさないこともできる。そのような実施形態は、少なくとも任意の適切なコピー・デバイスに実装できることを理解されたい。
【０１１５】
他のタイプの誤配置を修正できることを理解されたい。
【０１１６】
ページの誤配置は、他の適切な方法で修正できることをさらに理解されたい。
【０１１７】
一実施形態では、制御動作の１つは、ページの反対面が空白または実質的に空白かどうかを決定するために、ページの反対面を検査することを含む（つまり、誤配置されているページが検出されたときに、処理されたページの面の反対のページの面）。そのような一実施形態では、本明細書に描写および記述したように、ページの反対面の検査は、空白または実質的に空白のページを検出するための機能によって実行することができる。他のそのような実施形態では、ページの反対面の検査は、空白または実質的に空白のページを検出する際に使用するのに適した他の機能を使用して実行することができる。これは、ページが裏返しであるが（たとえば、ページの２面が、実行されている機能に関して不正確に配置された場合、ページを上向きに配置するべきときに、ファックス装置に下向きに配置した場合、ページを下向きに配置するべきときに、コピー機に上向きに配置した場合など）、ページが裏返しのページか、または単に空白または実質的に空白のページかに関して直ちに明白にはならない場合に役に立つ。他の一実施形態では、ページの反対面を検査した結果として、ページの反対面がコンテンツを含んでいるという決定が得られた場合（つまり、ページは裏返しだった場合）、１つまたは複数の追加の制御動作を開始することができる。一実施形態では、たとえば、追加の制御動作は、誤配置されているページの配置を修正することを含む（たとえば、ページの反対面からコンテンツを取り込み、空白または実質的に空白として検出されたページの面の代わりに取り込まれたコンテンツを使用することによってなど）。これは、結果として得られるページ（つまり、実際に伝送、格納、表示などされるページ）が、そうでない場合に結果として得られる空白ページではなく、ページの正しいバージョンであるように実行することができる。そのような実施形態では、関連するアラームを鳴らすことも、鳴らさないこともできる。追加の制御動作（複数可）には、他の適切な制御動作が含むことができる。そのような実施形態は、少なくとも両面コピー機能をサポートするコピー・デバイスで実装できることを理解されたい。
【０１１８】
他の適切な制御動作（複数可）を実行できることを理解されたい。
【０１１９】
ステップ２１６において、方法２００は終了する。
【０１２０】
本明細書に記述するように、図２の方法２００は、コピー・デバイスによって文書に対して実行されるコピー機能に関連する処理とともに（たとえば、宛先コピー・デバイスに伝送するためにソース・コピー・デバイスで文書をスキャンすること、コピー・デバイスで文書を保管および／または提示するためにコピー・デバイスで文書の電子表現を処理することなど）、および／またはコピー・デバイスによって文書に対して実行されるコピー機能に関連する処理と無関係に実行することができる。したがって、様々な実施形態では、方法２００は、コピー・デバイスで呼び出すことができる１つまたは複数の他の方法に統合すること（たとえばコピー機能を提供するため）、および／またはコピー・デバイスで呼び出すことができる１つまたは複数の他の方法と連続的にかつ／もしくは並行して呼び出すことができるスタンド・アロンの方法として提供することができる。そのため、（明瞭さのために）終了として本明細書に主に描写および記述したが、コピー・デバイスで他の機能を呼び出したり、かつ／または実行を続けたりできることを理解されたい（たとえば、文書に対して実行されるコピー機能に関連する処理、文書の誤配置されているページの検出に関連する処理の１つまたは複数など）。
【０１２１】
文書の第１の誤配置されているページの検出、ならびに関連するアラームの生成および提示のときに方法２００が終了する実施形態に関して本明細書に主に描写および記述したが、少なくとも他の一実施形態では、文書の電子表現の処理は、文書のすべてのページが文書の誤配置されているページを検出する目的のために処理されるまで継続することができる。処理の継続は、任意の適切な方法で実行することができる。
【０１２２】
一実施形態では、アラームは、文書の第１の誤配置されているページの検出時に生成および提示されるが、文書の他のページ（複数可）が誤配置されているかどうかを決定するために文書の電子表現の処理は継続する。そのような一実施形態では、方法２００は、（直接またはステップ２１４を介して）ステップ２１２からステップ２１６に進むのではなく、方法２００はステップ２１２（または、ページ単位で制御動作が必要かどうかに基づいてステップ２１４）からステップ２１０に進むように変更できるため、文書のすべてのページ処理されるまで、文書の処理を継続することができる。この場合、アラームは、文書の第１の誤配置されているページの検出時に生成および提示されたが、文書の処理は継続する（たとえば、文書の他のページは処理され続ける）。そのような一実施形態では、コピー・デバイスは、誤配置として検出された文書の各ページのリストを維持できるため、文書のページのそれぞれの処理の完了時に（たとえば、ステップ２１０で「はい」判定）、生成および提示されたアラームは、追加のステータス情報（たとえば、誤配置として特定されたページ（複数可）のページ番号（複数可）のリスト）を補足したり、それを含めるように変更したり、またはそれに交換したりすることができる。
【０１２３】
一実施形態では、文書に対してアラームが生成および提示されるかどうかに関して決定が下される前に、文書のすべてのページが処理される。そのような一実施形態では、方法２００は、ステップ２０８からステップ２１０に進むのではなく、方法２００は、ステップ２０８から他のステップ（図示せず）に進み、この時点で、誤配置としてページが特定されたという指示が格納されるように変更することができる。この方法では、コピー・デバイスは、文書のどのページが誤配置されているとして特定されたかを追跡することができる（存在する場合）。この他のステップから、方法２００はステップ２１０に進むことができ、処理は、図２に関して記述した方法で継続する。この実施形態では、文書のすべてのページの処理の完了に続いて（たとえば、ステップ２１０で「はい」判定）、方法２００は、ステップ２１０からステップ２１６に進まず、方法２００は、ステップ２１０から他のステップ（図示せず）に進み、この時点で、文書のいずれかのページが誤配置として検出されたかどうかに関して決定が下される（つまり、文書に対してアラームを生成および提示するべきかどうかに関する決定）。この場合、アラームを提示する場合、方法２００はステップ２１２を実行し、オプションとしてステップ２１４を実行して、次にステップ２１６に進んで方法２００が終了する。この場合、アラームを提示しない場合、方法２００は、ステップ２１６に直接進み、方法２００は終了する。そのような実施形態では、文書全体が処理されるまで、アラームの生成および提示は実行されないことを理解されたい。これは、誤配置されているページの検出に関連する追加のステータス情報が提供される場合など、多くの状況で役に立つ可能性がある。たとえば、これは、誤配置されているｋページ（複数可）の検出を示すアラームが、誤配置されているとして特定されたページ（複数可）のページ番号（複数可）のリストを含む場合に役に立つ可能性がある。
【０１２４】
図２の方法２００に描写した、またはそれに関連する前述の実施形態において、本明細書に記述したように、誤配置されているページの検出後に、文書の処理を継続することが望ましい場合と、望ましくない場合があることを理解されたい。この処理は、コピー・デバイスによって実行されるコピー機能に関連する文書の処理を含むことができる。少なくとも、任意の制御動作の１つまたは複数を開始すると、実行されているコピー機能が一時的または永久的に中止される可能性があるためである（たとえば、コピー機能を一時的に停止する、誤配置されているページの検出にもかかわらず、コピー機能を継続できるというユーザからの指示を保留する、コピー機能を中断して、再びコピーする必要がある文書のコピー、格納、伝送、受信などを防ぐ、など）。たとえば、複数のページを持つ文書の１ページのみが誤配置として検出され、その１ページを単独で再びコピーできる場合は、そのような処理を継続することが望ましいことがある。たとえば、処理を継続するべきか中断するべきかをユーザが決定できるまで、そのような処理を一時的に停止するのが望ましいことがある（たとえば、大きな文書の１ページだけが裏返しだったとユーザが決定した場合、ユーザは、コピー機能を継続し、その１ページを再びコピーすることを選択することができる。文書全体が上下逆さまであり、文書全体を再びコピーする必要があるとユーザが決定した場合、ユーザはコピー機能を中断することができる、など）。この処理は、また、またはあるいは、文書の誤配置されているページを検出するために、文書のページの処理を含むことができる。
【０１２５】
文書の誤配置されているページを検出するための文書の処理が、ページごとに連続的に実行される実施形態に関して本明細書に主に描写および記述したが、文書のそのような処理は、他の適切な方法で実行できることを理解されたい。一実施形態では、たとえば、文書は、連続的にかつ／または並列してページのグループを処理することによって処理することができる。一実施形態では、たとえば、文書は全体として処理することができる。他の適切な方法も使用できることを理解されたい。
【０１２６】
本明細書に記述するように、誤配置されているページ検出および対応機能の少なくとも一部の実施形態では、文書の誤配置されているページの検出は、文書の電子表現のコントラスト情報を処理することによって実行される。少なくとも一部の実施形態では、しかし、文書の誤配置されているページを検出する他の方法を使用することができる。
【０１２７】
本明細書に記述するように、誤配置されているページ検出および対応機能の少なくとも一部の実施形態では、アラーム提示に加えて、および／またはアラーム提示の代わりに、１つまたは複数の制御動作を、文書の誤配置されているページの検出に応じて開始することができる。
【０１２８】
したがって、そのような潜在的な実施形態を考慮して、以下の記述のように、図２の方法２００は、図３に関して描写および記述した方法で一般化することができる。
【０１２９】
図３は、文書の誤配置されているページを検出し、文書の誤配置されているページの検出に対応する方法の一実施形態を示す図である。図３の方法３００は、図２を参照することで理解される一部の違いはあるが、ソース・コピー・デバイスまたは宛先コピー・デバイスによって実行することができる。
【０１３０】
ステップ３０２で、方法３００が始まる。
【０１３１】
ステップ３０４では、文書の誤配置されているページが監視される。文書が誤配置されているページを含むかどうかを決定するための文書の監視は、（たとえば、図２に関して描写および記述した方法で文書の電子表現を処理することによって、または他の適切な方法を使用して）任意の適切な方法で実行することができる。
【０１３２】
ステップ３０６において、文書の少なくとも１ページが誤配置されていると決定するかどうかに関して決定が下される。誤配置されていると決定される文書のページがない場合、方法３００はステップ３１０に進み方法３００は終了する。文書の１または複数のページが誤配置されていると決定された場合、方法３００はステップ３０８に進む。
【０１３３】
ステップ３０８において、応答動作（複数可）が開始される。応答動作（複数可）は、アラームの生成および提示、ページの配置の自動修正など、およびそれらの様々な組み合わせの１つまたは複数を含むことができる。応答動作は、本明細書に描写および記述したそのような任意の動作を含むことができる。
【０１３４】
ステップ３１０において、方法３００は終了する。
【０１３５】
アラームの提示をトリガーする際に使用するのに適応した制御信号が、文書の１ページが誤配置されているという決定に応じて生成される実施形態に関して本明細書に主に描写および記述したが、少なくとも他の一実施形態では、アラームの提示をトリガーする際に使用するのに適応した制御信号は、文書の１ページが誤配置されているという決定に応じて生成されない場合がある。一実施形態では、たとえば、そのような制御信号は、文書のページのしきい値数またはしきい値の割合が、誤配置されているとして特定されたという決定に応じてのみ生成される。一実施形態では、たとえば、そのような制御信号は、すべての文書のページが誤配置されているとして特定されたという決定に応じてのみ生成される（たとえば、コピー時に上下逆さまに配置された文書など、上下逆さまの文書が検出された場合のみなど）。他の類似する実施形態がサポートされることを理解されたい。
【０１３６】
文書のページの処理が文書のページのそれぞれの１面に対して実行される片面処理の実施形態に関して本明細書に主に描写および記述したが、文書の１または複数ページの処理を、文書のページ（複数可）の両面に対して実行できる１つまたは複数の両面処理の実施形態を提供することができる。
【０１３７】
そのような両面処理の実施形態では、文書の１または複数のページの両面は、様々な機能を実行するために処理することができる。
【０１３８】
一実施形態では、文書の１または複数のページの両面の処理は、自動的に開始することができる。
【０１３９】
一実施形態では、文書の１または複数のページの両面の処理は、１つまたは複数のトリガー条件に応じて開始することができる（たとえば、文書のそのページの反対面および／または文書の他のページの一部またはすべての反対面（複数可）において、処理をトリガーする文書のページの１面の条件の検出に応じて、コピー・デバイスの特定の機能またはオプションの選択に応じて、文書のコピーのソースおよび／または意図した宛先に基づいてなど、およびそれらの様々な組み合わせなど）。
【０１４０】
両面処理の一実施形態では、文書の各ページに対して、ページの両面は、ページのそれぞれの面がコンテンツを含むかどうかを決定するために処理される。そのような一実施形態では、たとえば、文書の各ページに対して、ページの各面は、空白または実質的に空白のページを検出する際に使用するために、本明細書に記述する技術を使用して処理することができる（たとえば、絶対的なコントラスト、コントラストの変動など、およびそれらの様々な組み合わせを使用）。この実施形態では、ページの面の処理時に、ページの面が空白または実質的に空白であると検出するのに失敗すると、ページがコンテンツを含んでいるという決定が得られる。
【０１４１】
これは、たとえば、ユーザが両面文書をコピーしているが、文書のページの半分だけがコピーされる標準的な１面ずつの文書コピー・オプションを選択している場合に役に立つ（たとえば、ユーザは文書が両面だということに気づいていない、ユーザは間違った文書コピー・オプションを選択している場合、または何らかの他の理由など）。この場合、１面ずつの文書コピー・オプションが選択されているときに、文書のページの少なくとも一部の両面がコンテンツを含んでいることを検出すると、関連するアラームが１つまたは複数生成および提示され、１面ずつの文書コピー・オプションの選択から、２面ずつの文書コピー・オプションに自動的に切り替えられる、１面ずつの文書コピー・オプションの選択から２面ずつの文書コピー・オプションに手動で切り替えるオプションをユーザに提供するなど、およびそれらの様々な組み合わせが行われる。
【０１４２】
これは、また、たとえば、ユーザは片面文書をコピーしているが、文書の各ページの１面だけがコンテンツを含んでいても文書のページの両面がコピーされる２面ずつの文書コピー・オプションを選択している場合に役に立つ（たとえば、文書が片面であることにユーザが気づいていない、ユーザが間違った文書コピー・オプションを選択している場合、または何らかの他の理由など）。この場合、２面ずつの文書コピー・オプションが選択されているのに、文書のページのそれぞれの１面のみがコンテンツを含んでいることが検出されると、関連するアラームが１つまたは複数生成および提示され、２面ずつの文書コピー・オプションの選択から、１面ずつの文書コピー・オプションに自動的に切り替えられる、２面ずつの文書コピー・オプションの選択から、１面ずつの文書コピー・オプションに手動で切り替えるオプションをユーザに提供するなど、およびそれらの様々な組み合わせが行われる。
【０１４３】
この両面処理の実施形態は、様々な他のシナリオにおいて役に立つこと、したがって、そのような実施形態の使用は、上記の例に、または上記の例によって限定されないことを理解されたい。
【０１４４】
写真複写機を使用する文書のコピーに関して主に記述するが、この両面処理の実施形態は、また、本明細書に描写および記述する他の適切なコピー機能および／または他の類似する機能の枠内で使用できることを理解されたい（たとえば、文書をファックスするとき、文書を電子メールで送信するとき、ユーザ・デバイスで文書を受信するとき、ネットワーク・ストレージ・デバイスで文書を受信するときなど、およびそれらの様々な組み合わせ）。
【０１４５】
空白または実質的に空白のページを検出するのに応じて開始できる、可能性のある制御動作として本明細書に描写および記述した、両面処理の一実施形態では、ページの１面が空白または実質的に空白であることを検出するのに応じて、ページの反対面は、ページの反対面が空白または実質的に空白かどうかを決定するために検査することができる。そのような一実施形態では、本明細書に描写および記述したように、ページの反対面の検査は、空白または実質的に空白のページを検出するための機能によって実行することができる。他のそのような実施形態では、ページの反対面の検査は、空白または実質的に空白のページを検出する際に使用するのに適した他の機能を使用して実行することができる。これは、ページが裏返しのときに役に立つ（たとえば、ページの２面が、実行されている機能に関して不正確に配置された場合、ページを上向きに配置するべきときに、ファックス装置に下向きに配置した場合、ページを下向きに配置するべきときに、コピー装置に上向きに配置した場合など）。他の一実施形態では、ページの反対面を検査した結果として、ページの反対側がコンテンツを含んでいるという決定が得られた場合（つまり、ページは裏返しだった）、１つまたは複数の追加の制御動作を開始することができる。一実施形態では、たとえば、追加の制御動作は、ページの反対面からコンテンツを取り込むこと、空白または実質的に空白として検出されたページの面の代わりに取り込まれたコンテンツを使用することを含む。これは、結果として得られるページ（つまり、実際に印刷、格納、伝送、表示などされるページ）は、そうでない場合に結果として得られる空白ページではなく、ページの正しいバージョンであるように実行することができる。そのような実施形態では、関連するアラームを鳴らすことも、鳴らさないこともできる。追加の制御動作（複数可）は、他の適切な制御動作が含むことができる。
【０１４６】
ソース・コピー・デバイスおよび宛先コピー・デバイスの両方が、誤配置されているページ検出および対応機能をサポートする実施形態に関して本明細書に主に描写および記述したが、誤配置されているページ検出および対応機能の様々な利点は、ソース・コピー・デバイスだけが誤配置されているページ検出および対応機能をサポートする、または宛先コピー・デバイスだけが誤配置されているページ検出および対応機能をサポートする場合にも実現できることを理解されたい。
【０１４７】
誤配置されているページ検出および対応機能がネットワーク接続された環境で使用される実施形態に関して本明細書に描写および記述したが、誤配置されているページ検出および対応機能は、また、非ネットワーク環境でも使用できることを理解されたい。たとえば、誤配置されているページ検出および対応機能は、ユーザがコピー先デバイスに伝送することを意図していないオリジナル文書のハード・コピーを作っているときに、フォトコピー用のコピー機で誤配置されているページを検出するために使用することができる。たとえば、誤配置されているページ検出および対応機能は、プリンタ、スキャナー、またはユーザのコンピュータに直接有線接続されている他の周辺装置で誤配置されているページを検出するために使用することができる。
【０１４８】
画像処理機能を使用するデバイスで誤配置されているページ検出および対応機能が提供される実施形態に関して本明細書に主に描写および記述したが（たとえば、スキャン機能を使用して、文書の画像ベースのコピーを生成しかつ／または画像のレンダリング機能を使用して、文書の画像ベースのコピーを描写するデバイス）、誤配置されているページ検出および対応機能は、また、ＯＣＲまたは文書のコピーを処理する際に使用するのに適した他の機能を使用するデバイスで使用できることを理解されたい。
【０１４９】
文書の誤配置されているページを検出する目的のために文書の電子表現を処理するための誤配置されているページ検出および対応機能の使用に関して本明細書に主に描写および記述したが、誤配置されているページ検出および対応機能は、誤配置されている情報の定義された部分を検出するために情報の電子表現を処理するために使用することができる。
【０１５０】
誤配置されているページが検出されるとアラームが生成および提示され、関連する制御動作（複数可）の開始は任意である実施形態に関して本明細書に主に描写および記述したが、少なくとも一部の実施形態では、関連するアラームの生成および提示は任意でもよいが、１つまたは複数の制御動作は誤配置されているページの検出に応じて開始することができる。これは、誤配置されているページ（複数可）の検出に応じて自動訂正処置が取られる場合など、そのような配置が適切である、本明細書に記述した実施形態のいずれにも利用することができる（たとえば、他のページの配置に関して上下逆さまの１または複数のページは、自動的に１８０度回転されるため、他のページに関して自動的に再配置される場合、裏返しの１または複数のページは自動的に処理されるため、コンテンツがすべてのページの正しい面に現れる場合など）。
【０１５１】
ページが誤配置されていることを検出するために処理が実行される実施形態に関して本明細書に主に描写および記述したが、他の実施形態では、処理は、ページが空白または実質的に空白であることを検出するために実行することができる。空白または実質的に空白のページの検出は、ページが何らかの方法では誤配置されていることを示すことができるが、空白または実質的に空白としてページを検出しても、必ずしもページの誤配置を示していない状況がある。たとえば、空白ページが文書内に不注意に含まれていることがある。この例では、ページは誤配置されているのではなく、ページは無関係なものである。したがって、１つまたは複数の実施形態は、空白または実質的に空白のページを検出するために提供することができる。そのような一実施形態では、たとえば、方法は、ページが空白または実質的に空白かどうかを決定するために文書のページの電子表現を処理することと、ページが空白または実質的に空白であるという決定が下された場合、ページが空白または実質的に空白であることを示すアラームの提示をトリガーする際に使用するのに適した制御信号を生成することとを含む。そのような一実施形態では、たとえば、方法は、文書の少なくとも１ページが空白または実質的に空白であることを検出するのに応じて、空白または実質的に空白のページに対する動作を開始することを含む（たとえば、文書から空白または実質的に空白のページを取り除くこと、空白または実質的に空白のページの検出がページの誤配置を示しているかどうかを決定すること、１つまたは複数のアラームの生成および提示をトリガーすることなどおよびそれらの様々な組み合わせの１つまたは複数）。少なくとも一部のそのような実施形態は、誤配置されているページ検出および対応機能に関して本明細書に描写および記述した実施形態のいずれかを適応することによって提供できることを理解されたい。
【０１５２】
図４は、本明細書に記述した機能を実行する際に使用するのに適したコンピュータの高レベルブロック図である。図４に示すように、コンピュータ４００は、プロセッサ要素４０２（たとえば、中央処理装置（ＣＰＵ）および／または他の適切なプロセッサ（複数可））、メモリ４０４（たとえば、ランダム・アクセス・メモリ（ＲＡＭ）、読み取り専用メモリ（ＲＯＭ）など）、誤配置されているページ検出および応答モジュール／プロセス４０５、および様々な入出力デバイス４０６（たとえば、ユーザ入力デバイス（キーボード、キーパッド、マウスなど）、ユーザ出力デバイス（ディスプレイ、スピーカなど）、入力ポート、出力ポート、受信機、送信機、および記憶装置（たとえば、テープ・ドライブ、フロッピー・ドライブ、ハード・ディスク・ドライブ、コンパクト・ディスク・ドライブなど））を含む。
【０１５３】
本明細書に描写および記述した機能は、たとえば、汎用コンピュータ、１つまたは複数の特定用途向け集積回路（ＡＳＩＣ）、および／または他の等価物を使用して、ソフトウェア、ハードウェア、ならびに／またはソフトウェアおよびハードウェアの組み合わせで実装できることを理解されたい。一実施形態では、本明細書に記述する機能を実装するために、誤配置されているページ検出および対応プロセス４０５は、メモリ４０４にロードし、プロセッサ４０２によって実行することができる。そのため、誤配置されているページ検出および対応プロセス４０５（関連するデータ構造を含む）は、たとえばＲＡＭメモリ、磁気または光学のドライブまたはディスケットなど、コンピュータ可読記憶媒体に格納することができる。
【０１５４】
ソフトウェアによる方法として本明細書に記述したステップの一部は、たとえば、様々な方法のステップを実行するためにプロセッサと協調動作する回路として、ハードウェア内に実装できることが考えられる。本明細書に記述した機能／要素の一部は、コンピュータ・プログラム製品として実装することができ、コンピュータ命令は、コンピュータによって処理されるときに、本明細書に記述した方法および／または技術が呼び出されるか、そうでなければ提供されるように、コンピュータの動作を適応する。本発明の方法を呼び出すための指示は、固定または取り外し可能な媒体に格納し、ブロードキャストまたは他の信号送信媒体のデータ・ストリームを介して伝送し、および／または指示に従って動作するコンピューティング・デバイス内のメモリ内に格納することができる。
【０１５５】
本発明の態様は、特許請求の範囲で指定している。本発明のそれらおよび他の態様は、以下の番号を付した条項で指定する。
１．  ページが誤配置されているかどうかを決定するために文書のページの電子表現を処理するステップと、
ページが誤配置されているという決定が下された場合、ページが誤配置されていることを示すアラームの提示をトリガーする際に使用するために適応した制御信号を生成するステップと
を含む方法。
２．  ページの電子表現は、メモリからローカルで受信される条項１に記載の方法。
３．  方法は、コピー・デバイスによって実行され、ページの電子表現は、コピー・デバイスによって生成される条項１に記載の方法。
４．  方法は、第１のコピー・デバイスによって実行され、ページの電子表現は、通信路を介して第２のコピー・デバイスから第１のコピー・デバイスで受信される条項１に記載の方法。
５．  ページの電子表現は、ページの複数ピクセルのそれぞれに対してコントラスト情報を含む条項１に記載の方法。
６．  ページの電子表現を処理するステップは、
ページが誤配置されているかどうかを決定するためにページのピクセルの少なくとも一部のコントラスト情報を処理するステップ
を含む条項５に記載の方法。
７．  ページが誤配置されているかどうかを決定するためにページの電子表現を処理するステップは、
ページのピクセルに関連する絶対的なコントラスト値が値またはしきい値を満たすかどうかを決定するステップ
を含む条項５に記載の方法。
８．  ページが誤配置されているかどうかを決定するためにページの電子表現を処理するステップは、
ページのピクセル間のコントラストの変動がしきい値を満たすかどうかを決定するステップ
を含む条項５に記載の方法。
９．  ページが誤配置されているかどうかを決定するためにページの電子表現を処理するステップは、
ページが誤配置されていることを示すコントラスト・パターンを特定するステップ
を含む条項５に記載の方法。
１０．  制御信号に応じてアラームを提示するステップ
をさらに含む条項１に記載の方法。
１１．  制御信号はコピー・デバイスで生成され、アラームはコピー・デバイスを使用して提示される条項１０に記載の方法。
１２．  制御信号は、第１のコピー・デバイスで生成され、
第２のコピー・デバイスでアラームの提示をトリガーするために、第２のコピー・デバイスに第１のコピー・デバイスから制御信号を伝搬するステップ
をさらに含む条項１０に記載の方法。
１３．  制御信号は、第１のコピー・デバイスで生成され、
制御信号に応じて、第２のコピー・デバイスに第１のコピー・デバイスからアラーム・メッセージを伝搬するステップをさらに含み、アラーム・メッセージは、ページが誤配置されているという決定を示す
条項１０に記載の方法。
１４．  アラームは、可聴アラームおよび視覚アラームの少なくとも１つを含む条項１に記載の方法。
１５．  ページの電子表現は、ソース・コピー・デバイスから宛先コピー・デバイスで受信され、
制御信号に応じてソース・コピー・デバイスに宛先コピー・デバイスから、誤配置されているページの検出を示すメッセージを伝搬するステップ
をさらに含む条項１に記載の方法。
１６．  ページが誤配置されているという決定が下された場合、少なくとも１つの制御動作を実行するステップをさらに含み、少なくとも１つの制御動作は、
文書がネットワークを介して伝送することを意図されている場合、ユーザに、文書の伝送を継続するか、または文書の少なくとも一部の伝送を中断するオプションを提供するステップと、
文書の少なくとも１ページが自動文書送り込み装置を介してまだ入力されている間に、文書のページが誤配置されているという決定が下された場合、自動的に自動文書送り込み装置を停止するステップと、
誤配置されているページの配置を自動的に修正するステップと
の少なくとも１つを含む条項１に記載の方法。
１７．  方法は、ファックス機能、フォトコピー機能、スキャン機能、印刷機能、および表示機能の少なくとも１つを含むコピー・デバイスによって実行される条項１に記載の方法。
１８．  方法は、ユーザ・デバイスによって実行され、ユーザ・デバイスは、コンピュータ、携帯電話、および携帯情報端末（ＰＤＡ）の１つを含む条項１に記載の方法。
１９．  文書のページの電子表現を格納するためのメモリと、
ページが誤配置されているかどうかを決定するためにページの電子表現を処理し、
ページが誤配置されているという決定が下された場合、ページが誤配置されていることを示すアラームの提示をトリガーする際に使用するために適応した制御信号を生成する
プロセッサと
を含む装置。
２０．  プロセッサによって実行されたときに、プロセッサに方法を実行させる指示を格納するコンピュータ可読媒体であって、この方法は、
ページが誤配置されているかどうかを決定するために文書のページの電子表現を処理するステップと、
ページが誤配置されているという決定が下された場合、ページが誤配置されていることを示すアラームの提示をトリガーする際に使用するために適応した制御信号を生成するステップと
を含むコンピュータ可読媒体。
２１．  文書の少なくとも１ページが誤配置されていることを検出するのに応じて、誤配置されているページの配置を修正するための動作を開始するステップ
を含む方法。
【０１５６】
本発明の教示を組み込む様々な実施形態について、本明細書に詳細に提示および記述したが、当業者であれば、これらの教示を組み込む多数の他の変更された実施形態を容易に考案することができる。
【図１】
2013523011.tif 000003
【図２】
2013523011.tif 000004
【図３】
2013523011.tif 000005
【図４】
2013523011.tif 000006
【国際調査報告】
2013523011.tif 000007
2013523011.tif 000008
2013523011.tif 000009